(57)【要約】      （修正有）【課題】履物製品ラインの設計を合理的に行う。【解決手段】異なる機能カテゴリにわたる製品ラインを設計するための方法は、一定の性能要素を選択するステップ、および１つの製品から次のものへ要素のグレードを変えて、それによって製品を適当な機能カテゴリに合わせるグレードを変えるステップを含む。同時に、製品は、共通でありながら変化する設計要素であって、製品に相関性を持たせるとともに、１つの機能カテゴリから次のものへのモーフィング的または進化的外観を生じる設計要素を有する。本発明はさらに、製品に進化的またはモーフィング的な機能および設計要素を与えることにより、異なる機能カテゴリにわたる履物を１つの製品ラインとして販売する方法を開示している。【選択図】  図１ａ
2005342518.tif 000002
【特許請求の範囲】
【請求項１】
別個の機能カテゴリの履物製品ラインを設計する方法であって、
第１機能カテゴリ内の第１履物製品であって第１機能カテゴリに適するように選択された複数の性能要素と少なくとも１つの特徴的な美的要素とを有する第１履物製品を設計するステップと、
前記第１履物製品の複数の前記性能要素および少なくとも１つの美的要素を選択するステップと、
前記第１履物製品の前記美的要素を概ね保持しつつ前記選択された性能要素の特性を第２機能カテゴリに適するように変えることにより前記第１履物製品および前記第２履物製品間に視覚関連性を与えて第２機能カテゴリ内の第２履物製品を設計するステップと、
前記第２履物製品の複数の性能要素および少なくとも１つの美的要素を選択するステップと、
前記第２履物製品の前記美的要素を概ね保持しつつ前記第２履物製品から選択された前記性能要素の特性を第３機能カテゴリに適するように変えることにより前記第２履物製品および前記第３履物製品間に視覚関連性を与えて第３機能カテゴリの第３履物製品を設計するステップと
を含むことを特徴とする履物製品ラインの設計方法。
【請求項２】
前記選択するステップはそれぞれ、少なくとも３つの性能要素を選択する請求項１に記載の方法。
【請求項３】
前記性能要素は、アッパー、フットベッド、ミッドソール、靴紐機構、支持プレートおよび支持部品のうち少なくとも１つを有する請求項２に記載の方法。
【請求項４】
前記性能基準の少なくとも１つは、アッパーであり、前記設計するステップはそれぞれ、前記アッパーの高さおよび該アッパーの材料のうち少なくとも１つを変える請求項２に記載の方法。
【請求項５】
前記性能基準の少なくとも１つは、ミッドソールであり、前記設計するステップはそれぞれ、前記ミッドソールの材料、配置および形のうち少なくとも１つを変える請求項２に記載の方法。
【請求項６】
前記性能基準の少なくとも１つは、支持プレートであり、前記設計するステップはそれぞれ、前記支持プレートの材料、配置および形のうち少なくとも１つを変える請求項２に記載の方法。
【請求項７】
前記性能基準の少なくとも１つは、アウトソールであり、前記設計するステップはそれぞれ、前記アウトソールの材料、トレッドパターン、ラグ深さ、ラグの形および踵形状のうち少なくとも１つを変える請求項２に記載の方法。
【請求項８】
前記性能基準の少なくとも１つは、靴紐機構であり、前記設計するステップはそれぞれ、前記靴紐機構の靴紐の形、靴紐材料、靴紐留め具および靴紐留め具アタッチメントのうち少なくとも１つを変える請求項２に記載の方法。
【請求項９】
前記性能基準の少なくとも１つは、フットベッドであり、前記設計するステップはそれぞれ、前記フットベッドのライニング材料、クッション材料および形のうち少なくとも１つを変える請求項２に記載の方法。
【請求項１０】
前記少なくとも１つの美的要素は、アッパーの形、アッパーの材料、アッパーの支持部品、ミッドソールの形、ミッドソール支持部品、アウトソールの形、アウトソールのトレッドパターン、アウトソールの支持部品および靴紐機構のうち少なくとも１つを含む請求項２に記載の方法。
【請求項１１】
前記設計するステップはそれぞれ、前記第１履物製品から前記第２履物製品へ、また前記第２履物製品から前記第３履物製品へ前記美的要素を進化させて対応する履物製品の性能レベルの視覚表示を行う請求項１に記載の方法。
【請求項１２】
前記美的要素の進化は、前記美的要素の寸法を大きくして向上した性能レベルの表示を行うことを含む請求項１１に記載の方法。
【請求項１３】
前記美的要素は、アウトソールであり、前記美的要素の進化は、ラグ深さを増加させて向上した性能レベルの表示を行うことを含む請求項１２に記載の方法。
【請求項１４】
前記美的要素は、アウトソールであり、前記美的要素の進化は、トレッドパターンの幾何学的形状の激しさを増加させて向上した性能レベルの表示を行うことを含む請求項１３に記載の方法。
【請求項１５】
前記第１履物製品、前記第２履物製品および前記第３履物製品の色パターンを変えるステップをさらに含む請求項１に記載の方法。
【請求項１６】
前記第１履物製品、前記第２履物製品および前記第３履物製品を複数の異なる色使いで提供するステップをさらに含み、前記色使いの各々での前記色パターンは互いに調和している請求項１５に記載の方法。
【請求項１７】
異なる機能カテゴリにわたる履物製品ラインを設計する方法であって、
第１機能カテゴリ用の第１履物製品であって前記第１機能カテゴリでの使用に適合される複数の性能要素と１つの視覚外観を与えるための設計要素とを有する第１履物製品を設計するステップと、
前記第１機能カテゴリと異なる第２機能カテゴリ用の第２履物製品であって前記第２機能カテゴリでの使用に適合される複数の性能要素と１つの視覚外観を与えるための設計要素とを有し、第２履物製品の前記性能要素は前記第１履物製品の前記性能要素の進化型であり且つ第２履物製品の前記設計要素は前記第１履物製品の前記設計要素の進化型であるような第２履物製品を設計するステップと、
前記第１機能カテゴリおよび前記第２機能カテゴリと異なる第３機能カテゴリ用の第３履物製品であって前記第３機能カテゴリでの使用に適合される複数の性能要素と１つの視覚外観を与えるための設計要素とを有し、第３履物製品の前記性能要素は前記第２履物製品の前記性能要素の進化型であり且つ第３履物製品の前記設計要素は前記第２履物製品の前記設計要素の進化型であり、前記第１履物製品、前記第２履物製品および第３履物製品の前記性能要素および前記設計要素は進化的かつモーフィング的な性能および設計推移を示すような第３履物製品を設計するステップと
を含むことを特徴とする履物製品ラインの設計方法。
【請求項１８】
前記性能要素は、アッパー、フットベッド、ミッドソール、靴紐機構、支持プレートおよび支持部品のうち少なくとも１つを有する請求項１７に記載の方法。
【請求項１９】
前記性能要素は、アッパー、フットベッド、ミッドソール、靴紐機構、支持プレートおよび支持部品のうち少なくとも３つを有する請求項１７に記載の方法。
【請求項２０】
前記性能要素は、前記製品の性能レベルが高くなるのに伴って高さが増すアッパーを含む請求項１９に記載の方法。
【請求項２１】
前記性能要素は、前記製品の性能レベルが高くなるのに伴ってラグ深さが増すトレッドパターンを有するアウトソールを含む請求項２０に記載の方法。
【請求項２２】
前記性能要素は、前記製品の性能レベルが高くなるのに伴って増大する支持特性を有するアッパー支持部品を含む請求項２１に記載の方法。
【請求項２３】
前記性能要素は、アッパーの高さ、アッパーの材料、アッパーの形、アッパー支持部品、ミッドソールの材料、ミッドソールの形、踵カウンタの形、踵カウンタの材料、支持プレートの形、支持プレートの材料、フットベッドのクッション材料、フットベッドのライニング材料、アウトソールの形、アウトソールのトレッドパターン、アウトソールの材料、アウトソール支持部品の形、およびアウトソール部品の材料のうち少なくとも３つを含む請求項１７に記載の方法。
【請求項２４】
前記設計要素は、アッパーピースの形、アッパーの材料、アッパー支持部品の形、ミッドソールの形、踵カウンタの形、フットベッドのライニング材料、アウトソールの形、アウトソールのトレッドパターン、アウトソール支持部品の形のうち少なくとも１つを含む請求項２３に記載の方法。
【請求項２５】
第１機能カテゴリでの使用に適合されかつ１つの美的外観および少なくとも３つの性能要素を有する第１履物製品と、
第２機能カテゴリでの使用に適合され、前記第１履物製品の前記少なくとも３つの性能要素に対応すると共に前記第２機能カテゴリに対応するように前記第１履物製品の前記少なくとも３つの性能要素から変化した少なくとも３つの性能要素を有し、前記第１履物製品の前記美的外観から変化しているが類似の美的外観を有することにより前記第１履物製品との間に視覚相関性を有する第２履物製品と、
第３機能カテゴリでの使用に適合され、前記第１履物製品の前記少なくとも３つの性能要素に対応すると共に前記第３機能カテゴリに対応するように前記第１履物製品の前記少なくとも３つの性能要素から変化した少なくとも３つの性能要素を有し、前記第２履物製品の前記美的外観から変化しているが類似の美的外観を有することにより前記第１履物製品及び前記第２履物製品との間に視覚相関性を有する第３履物製品と
を有することを特徴とする履物製品ライン。
【請求項２６】
それぞれ異なる性能レベルを有する異なる機能カテゴリ内の少なくとも３つの製品であって、それぞれ１つの機能カテゴリから次の機能カテゴリに進化する複数の機能要素と１つの機能カテゴリから次の機能カテゴリに進化する複数の設計要素とを有する製品を含む履物製品ラインを設計するステップと、
これらの製品を関連性のある製品ラインとして販売するステップと
を備えたことを特徴とする履物販売方法。
【発明の詳細な説明】
【技術分野】
【０００１】
［発明の詳細な説明］
［発明の背景］
本発明は、履物に関し、特に履物の設計および販売方法に関する。
【０００２】
履物会社は通常、さまざまな異なる履物製品を提供する。これらの製品は、同一か、または異なる機能カテゴリ（たとえば、軽スポーツ、トレイルランニング、デイハイキング、ハイキング、バックパッキングおよび登山）に使用されるためのものであろう。従来の設計方法を使用して、異なる履物モデルが個別製品として設計および販売される。製品が異なる機能カテゴリで使用されることを目的とする用例において、これが特に当てはまる。たとえば、製造者が、サンダル、ランニングシューズ、ハイキングブーツおよびバックパッキングブーツの機能カテゴリの製品を販売しようとする場合、それらの対応する特殊分野においてさまざまな製品が個別に設計および販売される。この従来型の設計および販売方法は、それぞれの製品に対して個別の「磨き上げられた（ground-up）」設計努力を必要とするとともに、個別の販売努力も必要とする。
【０００３】
一部の従来の用例では、製造者は異なる機能カテゴリの製品に新しい性能技術を取り入れることができる。たとえば、履物製造者は、内部クッション技術を開発して、その技術の一実施形態をパンプスおよびランニングシューズの両方に取り入れることができる。それぞれ異なる製品に対して個別の内部クッション技術を設計する必要がないため、設計コスト全体を低減させることができるが、履物設計に全体論的に取り組んだものではない。むしろ、多数の機能カテゴリ全体にわたって単一の技術を使用すると、その技術の単一の実施形態がすべての機能カテゴリに最適であるわけではないので、性能および／または快適性に妥協をもたらすことが多い。
【０００４】
［発明の概要］
上記問題は、多数の機能カテゴリの履物を含む製品ライン用の履物設計および販売方法を提供する本発明によって解決される。さらに詳しくは、設計方法は、製品および機能カテゴリ全体にわたる性能および美的特性の進化またはモーフィング(morphing)のための体系的アプローチを行って、異なる機能カテゴリにわたる履物製品ラインを設計するためのプロセスを含む。
【０００５】
一実施形態において、本方法は、機能カテゴリごとに変化する多数の特有性能要素について述べている。この実施形態において、その方法は、多数のこれらの性能要素の選択および変更を行うステップであって、それにより、製品を１つの機能カテゴリから次の機能カテゴリに進化させるステップを含む。本設計方法は、所定の美的または設計要素か、もしくはその変更例を保持するステップであって、それにより、共通であるが、進化した美的外観を製品ライン全体に与えるステップをさらに含むことができる。好ましくは、設計を性能要素とともにモーフィングまたは進化させ、それにより、対応製品の性能グレードを視覚表示できるようにする。これは、製品ライン全体の販売を容易にする製品間の関連性を与えるだけでなく、各製品をゼロから設計する必要をなくす。
【０００６】
一実施形態において、本発明は、少なくとも３つの異なる機能カテゴリにわたる履物製品ラインであって、それぞれの製品が、同様であるが変化した性能要素、たとえば、アウトソール形状、ミッドソール形状、ソールスタビライザ形状、インソール形状、フットベッド形状、アッパー形状、アッパー支持構成部品および靴紐機構を有する、履物製品ラインを提供する。進化する各性能要素の特徴は変化するであろうが、アウトソールラグ形状、ラグ深さ、アウトソール材料の選択および硬度、ミッドソール硬度、ソールスタビライザの寸法、外形および配置、アッパー形状、アッパー材料の選択、アッパー支持部品、フットベッド構造および閉鎖機構等のものを含むであろう。
【０００７】
本発明はまた、異なる機能カテゴリにわたる履物製品ラインを、関連性を持ちながら進化する美的および機能要素をそれらに与えることによって販売する方法も提供する。性能および美的特性の進化は、製品ライン全体にわたって美的外観に共通性を与えながら、技術性能のグレード、すなわち進化レベルも与え、それにより、各製品をそれに意図される機能カテゴリに特別に適するようにする。
【０００８】
本発明は、異なる機能カテゴリにわたる製品の設計および開発を簡単にしながら、同時に、相関性のあるセットとして販売することができる製品ラインを提供する、特別な設計および販売方法論を提供する。本発明の設計方法は、一連の製品部品の性能特徴を進化させるための体系的アプローチを提供することにより、異なる機能カテゴリにわたる製品の設計を容易にする方法を提供する。本発明はまた、異なる機能カテゴリ用に設計された製品間に進化的またはモーフィング的関連性を与える。これは、あるライン内の製品間に視覚的つながりを与えるだけでなく、製品の性能グレードを視覚表示する。本発明はさらに、異なる機能カテゴリにわたる製品ラインを販売するための販売方法を提供する。製品の進化的で相関的な性質は、消費者に製品ラインまたは系列を購入しようとする動機付けを与える。これは次に、小売業者が製品ライン全体を販売しようとする刺激材料を与える。その結果、本発明は、消費者が利用可能な製品提供を高めるとともに、製品の販売可能性を改善する。
【０００９】
本発明の上記および他の目的、利点および特徴は、好適な実施形態の詳細な説明および図面を参照することにより、容易に理解および認識されるであろう。
【００１０】
［好適な実施形態の詳細な説明］
本発明は、異なる機能カテゴリの製品を含む製品ラインを設計するための方法を提供する。この方法は、各製品を目的の機能カテゴリに適応するように複数の性能要素を進化させる一方、同時に、製品に進化的またはモーフィング的視覚外観を与える、明らかに相関的な設計要素を保持するステップを含む。図１ａ〜図１ｄは、本発明の実施形態に従って設計および製造されたさまざまな製品ラインを示す図である。図面からわかるように、製品は、１つの製品と次の製品との間に明らかな視覚的モーフィングまたは進化を含む。一実施形態において、含まれる性能要素は、安定性、トラクション、フィット感、快適性および耐候性等の性能基準を調節するために変更することができる。一般的に、製品のソール、アッパーおよび閉鎖機構の特性を調節することにより、製品の安定性を変更することができる。これは、剛直なソールプレートおよび成形アッパー部品等の追加的な支持部品の導入を含むことができる。製品のトラクションは、主にアウトソールの特性、たとえば、さまざまなトレッドパターン（深さ、エンジニアリングおよび幾何学的形状）、化合物の配合、化合物の組み合わせおよび可撓性を調節することによって変えることができる。製品のフィット感は、主にアッパーおよび閉鎖機構の特性の調節、たとえば、アッパーの形状および材料の変更によってか、または靴紐留め具の変更によって変えることができる。製品の快適性は、主にソール、アッパーおよび閉鎖機構の形状、材料および他の特性の調節によって変えることができる。製品の耐候性は、主にアッパーの特性を調節すること、たとえば、通気性のあるアッパー部品、防水膜および断熱ライニングを設けることによって、変えることができる。製品の設計基準は、ソール、アッパーおよび閉鎖機構の目に見える要素全体におよび、したがって、製品の実質的にすべての可視要素で調節することができる。或る製品ライン用の設計基準は、１つの機能カテゴリから別の機能カテゴリに移る時に製品に進化的またはモーフィング的外観を与えるように選択される。モーフィング的外観は、ライン内の特定製品の性能レベルをその他の製品に対して視覚表示するためである。たとえば、２つの製品間の性能レベルの上昇を視覚表示するために、設計特性の寸法または大胆さを増大させることができる。
【００１１】
さまざまな性能要素を変更し、それにより、それぞれの機能カテゴリに対して技術的に正しい性能特性を有する進化的製品を提供することができる。制限的ではなく、開示の目的のために、多数の特定性能要素の変更を本明細書に記載する。他の性能要素の特性を進化させることは、本発明の範囲内である。アウトソールの特性を変更し、それにより、所定の機能カテゴリに望ましい性能を与えることができる。たとえば、アウトソール用の材料の選択を変更してもよい。一部の用例ではより耐久性および耐摩耗性が高い材料を使用することができる一方、別の用例ではより柔らかく、より弾性的な材料を使用してもよい。アウトソールの異なる部分を異なる材料から構成することも望ましいであろう。たとえば、トラクションを改善するために、中央ラグをより軟質の材料で形成することができる一方、耐久性を改善してアウトソールの寿命を伸ばすために、外側ラグをより硬質の材料で形成してもよい。異なる性能特性を与えるために、トレッド要素の設計およびレイアウトも変更することができる。或る用例では、所定の活動でトラクションを改善するために、ラグ深さを増加させてもよい。さらに、ラグ形状の大胆さを増減させてもよい。たとえば、機能カテゴリ間でラグの角度を増減させてもよく、もしくはラグの縁部に丸みを付けるか、あるいは角張らせてもよい。ハイキングや登山等のより激しい機能カテゴリでは、アウトソールに踵を設けてもよい。踵は、着用者の足の踵に改善された安定性および支持力を与えるが、アウトソールの重量を増加させる。
【００１２】
履物製品の性能は、ソールに支持プレートを設けることによっても変えることができる。ソールに異なる支持レベルを与えるために、支持プレートの大きさ、外形、形状および材料を変更してもよい。支持プレートが設けられている場合、それはソールの異なる部分全体に延在してもよく、あるいは、異なる剛性特性を有してもよい。一部の用例では、支持プレートが土踏まず領域内だけに位置する簡単な踏まず芯でよく、他の用例では、支持プレートがソールの一端部から他端部まで延在してもよい。ソールプレートは、一定方向でそれの剛性を増加させるような輪郭にしてもよく、あるいは、所定領域内での可撓性を高くするために、切り欠きを形成してもよい。
【００１３】
ソールは、踵カウンタを有してもよい。踵カウンタは外部にあって、シューズの外部から見えるようにしてもよく、あるいは、内部にあって、消費者に見えないようにしながら、支持を行うようにしてもよい。異なる支持レベルを与えるため、踵カウンタの大きさ、外形、形状および材料を変更してもよい。一部の用例では、踵カウンタは支持プレートと一体化させてもよい。
【００１４】
所望のクッション性を与えるためにミッドソールの特性を変更することによって、履物製品の特性を調整してもよい。ソールに異なる支持レベルを与えるために、ミッドソールの大きさ、外形、形状および材料を変更してもよい。たとえば、ミッドソールは、異なる密度のＥＶＡまたはＰＵでよい。ミッドソールは、踵領域で厚く、足の母指球の下側で薄くしてもよい。ミッドソールは、異なる材料から形成された異なる部分を含むことができる。たとえば、より硬い材料の領域をミッドソールの両側に沿って、または踵領域内に配置してもよい。とりわけ、高いクッション性を与えるとともに、踵をソール上の中心に配置するために、ミッドソールは踵クッションも有することができる。踵クッションの特性は変更することができ、ミッドソールの上部または底部に形成された空隙内にそれを取り付けることができる。
【００１５】
異なるスタイルのアッパーを設けることにより、あるいはアッパーをさまざまな異なる材料から形成することにより、製品の性能特性を変えてもよい。アッパーは、多数の支持部品のいずれを備えることもできる。アッパーのスタイルは、１つの機能カテゴリから次のものに進化するであろう。たとえば、アッパースタイルは、軽便用のソングサンダルから、最低限のスポーツ活動までの軽便用のスライドサンダルに、軽スポーツから中程度スポーツ活動用のコンバーチブルサンダルに、また、広範囲のスポーツ活動用のマルチスポーツサンダルに進化することができる。さらなる進化では、アッパーは、複合サンダル／シューズアッパー（すなわち、閉じた前端部および踵を形成するためのストラップ）であるシャンダルアッパー、ローカットシューズアッパー、中間高さシューズアッパー、（さまざまなカラー高さの）ブーツアッパーでもよい。アッパーは、さまざまな高さの足首カラーを有してもよい。一用例では、履物製品は、最も軽い機能カテゴリ用に低いカラーを、中程度性能の製品用に中間高さカラーを、最高性能の製品用にフルブーツカラーを有してもよい。アッパー材料も、軽機能カテゴリから重機能カテゴリまで変えることができる。軽量化および快適性の改善が履物の重要な特性である場合、メッシュや目の粗い織物等の通風（すなわち穿孔）材料を使用してもよい。通風材料は、空気の流れおよび水中用では水の流れを促進するために利用可能である高レベルの通気性をアッパーに与える。他の用例では、織物材料または他の布地類（天然または合成）を使用することができる。別法として、アッパーを革または合成革材料で形成してもよい。異なる性質の革または合成革材料を使用することによって、アッパーの性能特性を変えてもよい。たとえば、製品を所望の機能カテゴリに合わせるために、革のタイプ、グレードおよび厚さを変えることができる。アッパーは、異なる領域に異なる材料を有することができ、たとえば、ある領域に通風材料を使用し、別の領域に革を使用してもよい。目的の機能カテゴリに対応する環境に合わせて、アッパー材料のライニング材料も変えることができる。湿潤環境からの保護が望まれる機能カテゴリでは、アッパーはゴアテックス(GoreTex)（登録商標）等の防水膜または防水／通気ライニングを有することができる。保温が望まれる機能カテゴリでは、アッパーはシンサレート(Thinsulate)（登録商標）等の断熱材料のライニングを有することができる。アッパーは、適当であれば、開放気泡および独立気泡フォーム等のパッドや、他の従来型布ライニングも有することができる。シューズの足前部および／または土踏まず領域内の成形サドル、足首領域内の成形足首支持部、または踵領域内の成形踵支持部等の、特定領域でアッパーを支えるための支持部品をアッパーに設けてもよい。
【００１６】
靴紐機構も、それぞれの機能カテゴリにおいてコスト、重量、使いやすさおよび耐久性間で所望のバランスを取ることができるように変えることができる。たとえば、靴紐機構は、はと目、（靴紐ループを形成するための）ウェブ（webbing）、靴紐リング、靴紐フック、靴紐ローラおよび二重フックを含むであろう。さまざまな閉鎖部材の材料も変えることができる。たとえば、ウェブ材料は強度および耐久性を高めることができ、靴紐リングは材料をプラスチックからさまざまな金属に変えることができる。靴紐留め具をアッパーに固定するための機構も変えることができ、たとえば、靴紐留め具をアッパーに縫い付けるか、あるいはアッパーに一列リベットまたは二列リベット留めすることができる。靴紐機構は、標準的な平形靴紐、楕円形靴紐または丸形靴紐を含むことができ、また、所望の強度および耐久性を与えるように異なる材料を有してもよい。
【００１７】
フットベッドも、特定の機能カテゴリ用に合わせた性能を与えるように変えてもよい。フットベッドは通常、クッション材料の上面に固定されたライニング材料を有するであろう。ライニング材料は、所望の性質を与えるように選択することができる。たとえば、ライニングは、汗を足から引き出すウィッキング材料から形成してもよく、あるいは空気／水がライニングを比較的容易に通過できるようにする目の粗い布から形成してもよい。クッション材料の性質は、異なる支持レベルを与えるように変えることができる。たとえば、強化支持力が望まれる場合、より硬質の材料を使用することができ、あるいは、製品を通る空気の流れまたは水の流れの増加が望まれる場合、穿孔フットベッドを製品内に設けることができる。クッション材料は、異なる領域に異なるクッション性の材料を含むこともできる。
【００１８】
一部の用例では、製品ライン内の製品に独特の色パターンを与えることも望ましいであろう。これは、製品ライン内に色の多様性を与えるのに役立つであろう。消費者が追加的な色選択を行うことができるように、製品ライン全体を多数の色使いで販売することも望ましいであろう。たとえば、１つの製品ラインが、男性用色使い、女性用色使い、１つまたは複数のユニセックス色使いを含んでもよい。
【００１９】
次に、多数の例示的な製品ラインに関連して本発明を説明する。本設計方法の適用を説明するために、さまざまな製品ラインを提供するが、本方法の範囲または内容を制限しようとするものではない。特定の機能カテゴリは用例ごとに変わるであろうが、図２〜図７に示されている製品系列内の機能カテゴリは、スポーツサンダル（図２ａを参照）、マルチスポーツシューズ（図３ａを参照）、デイハイキングブーツ（図４ａを参照）、ハイキングブーツ（図５ａを参照）、バックパッキングブーツ（図６ａを参照）および登山靴（図７ａを参照）を含む。この製品ラインは、アウトドア活動での使用を目的とする。これらの製品は主に乾燥環境での使用を目的とするが、防水アッパー材料および／または防水ライニングもしくは膜、たとえばゴアテックス(Gore-Tex)（登録商標）を組み込むことによって、湿潤環境で使用できるように変えることができる。スポーツサンダル１０ａは、スポーツサンダル機能カテゴリでの使用を目的とする。本実施形態において、スポーツサンダルは全体として、アッパー２０ａ、ミッドソール３０ａ、踵クッション４０ａ、支持プレート５０ａおよびアウトソール６０ａを備える（図２ａ）。アッパー２０ａは、サンダル１０ａの比較的高レベルの支持を行うように設計され、それにより、サンダル１０ａをさまざまなスポーツ活動に使用することができる。サンダルアッパー２０ａは、着用者の足の足前部、足首および踵に重なるように構成されたストラップ２２ａを有する。ストラップ２２ａは、合成革、革または一般的なスポーツ活動に適する他の従来型材料から形成されることができる。足前部および足首領域に重なるストラップ２２ａは、長さが調節可能であり、プラスチッククリップ２４ａ等の従来型留め具によって取り外し可能に固定される。アッパーはまた、足首領域の両側に配置された１対の足首支持部品２６ａも有する。図２ａには１つの足首支持部品２６ａだけが示されているが、図示の足首支持部品２６ａと鏡像関係にある部品が、サンダル１０ａの反対側に配置されている。足首支持部品２６ａは、足首領域内でアッパー２０ａの安定性を高め、それにより、スポーツ活動でのサンダル１０ａの性能を改善する、ＴＰＵ等の高分子材料から形成することができる。足首支持部品２６ａは、アッパー２０ａに縫い付けられるか、または他の方法で固定されるであろう。アッパー２０ａはまた、ネオプレーンまたはライクラ等の従来型ライニング材料を有してもよい。ライニング材料（図示せず）は、スポーツ活動に適するように選択される。本実施形態において、支持プレート５０ａは、ソールのつま先またはその付近のソール開始部の一部分だけにわたって延在し、後方向に土踏まず領域を通って延出して、踵領域の前部またはその付近で終端する。支持プレート５０ａの後端部５２ａを弓形にして、それにより、（後述する）踵クッション４０ａが適切に動作できるようにしてもよい。支持プレート５０ａは、ナイロンまたは他の同様の材料から形成されることができ、好ましくはグレード２の剛性を有する。ミッドソール３０ａは、サンダル１０ａ用の主たるクッション要素である。ミッドソール３０ａは、概ね従来通りの構造であって、ＥＶＡまたは他の同様のク��ション材料から形成されることができる。ミッドソール３０ａは、単一材料から形成されてもよいが、異なる領域内に異なる性質の材料を有してもよい。本実施形態において、アッパー２０ａを受容するために、ミッドソール３０ａは複数の打ち抜き孔３２ａを有している。ストラップ２２ａを打ち抜き孔３２ａに下向きに挿通させて、従来通りに、ミッドソール３０ａの下面に接着するか、または他の方法で固定する。ミッドソール３０ａはまた、足首支持部品２６ａを受容する浅い凹部３４ａを足首領域内に有してもよい。足首支持部品２６ａは、これらの凹部３４ａ内およびミッドソール３０ａの下面に接着される。ミッドソールはまた、踵クッション４０ａを有してもよい。踵クッション４０ａは、ミッドソール３０ａの下面内に形成された（破線で示すだけである）円形凹部４２ａ内に配置される。踵クッション４２ａは、ＥＶＡまたは他の同様のクッション材料から形成されて、中央の星形切り欠き４４ａを形成してもよい。踵クッション４０ａは、踵の下側に強化クッション性を与えるとともに、着用者の足の踵を踵ポケット内の中心に配置するのを助ける。スポーツサンダル１０ａのアウトソール６０ａが図２ｂに示されており、ミッドソール３０ａおよび支持プレート５０ａの下面に、接着されるか、または他の方法で固定される。アウトソール６０ａは、ゴムまたは他の同様のアウトソール材料から形成されることができる。アウトソール６０ａは、支持プレートの下面が見えるようにする透明材料１４２ａを充填した中央開口６２ａを形成してもよい。所望ならば、支持プレートは、所望の美的外観を与える特別な設計要素を含んでもよい。
【００２０】
図３ａのマルチスポーツシューズ１０ｂは、マルチスポーツ機能カテゴリでの使用を目的としており、トレイルウォーキング、サイクリングおよびスケートボーディング等のさまざまなスポーツ用途に使用されることができる。マルチスポーツシューズ１０ｂは全体として、アッパー２０ｂ、フットベッド７０ｂ、内部ミッドソール３０ｂ、支持プレート５０ｂおよびアウトソール６０ｂを備える。アッパー２０ｂは、主に布から形成される。アッパー２０ｂは、ミッドソールの下面の下側に巻き込まれるとともにそれに接着されるか、または他の方法で固定される周縁部分、すなわちゆとり分（図示せず）を有する。アッパー２０ｂはさらに、シューズ１０ｂの踵の周囲を包み込む足首／踵支持部２６ｂを有するとともに、足首領域を横切って前方に延出するフィンガ３６ｂを有する。支持部２６ｂは、アッパー２０ｂに縫い付けられるか、または他の方法で固定されることができる。足首／踵支持部２６ｂは、ＴＰＵ等の高分子材料または他の同様の材料から形成される。足首／踵支持部２６ｂを靴紐機構８０ｂ内に組み込むために、各フィンガ３６ｂの端部に靴紐フック８２ｂが配置されている。これにより、靴紐８４ｂを締め付けたとき、足首支持部２６ｂを足首の周囲にぴったり引き寄せることができる。アッパー２０ｂは、複数の靴紐ループ８６ｂ、および概ね従来型の、２つの合成芯を有する卵形靴紐８４ｂを有する靴紐機構８０ｂを備える。アッパー２０は、シューズ１０ｂのつま先の周囲に延在するつま先ピース９０ｂを有し、これは、シューズ１０ｂの両側に沿って後方向に延出する側部フィンガ９２ｂ、およびベロ開口２８ｂの基部まで後方向に延出する中央フィンガ９４ｂを備える。中央フィンガ９４ｂは、独特の視覚外観を与える一連の傾斜リブを有してもよい。つま先ピース９０ｂは好ましくは、ＴＰＵまたは他の同様の材料から成形されて、アッパー２０ｂに縫い付けられるか、接着されるか、または他の方法で固定される。フットベッド７０ｂは概ね従来型であり、シューズの残り部分の製造が完了してから、アッパー２０ｂ内にはめ込まれることができる。フットベッド７０ｂは、上面に布ライニング７４ｂを設けた薄いクッション材料層７２ｂを有することができる。スポーツサンダル１０ａの場合と同様に、ミッドソール３０ｂはシューズ１０ｂ用の主たるクッションとして機能する。ミッドソール３０ｂは、アッパーの内部にあって、ＥＶＡまたは他の同様のクッション材料から形成されることができる。ミッドソール３０ｂは、単一材料から形成されてもよいが、異なる領域内に異なる性質の材料を有してもよい。本実施形態では、ミッドソール３０ｂの上面に、踏まず芯凹部５６ｂおよび踵クッション凹部４２ｂが形成されている。踏まず芯凹部５６ｂは、ミッドソール３０ｂの土踏まず領域内に配置され、それにより、着用者の足の土踏まずに所望の安定性を与える踏まず芯５４ｂを受容する。踏まず芯５４ｂの性質は、用例ごとに変えてもよい。踵クッション凹部４２ｂは、ソールの踵領域の中心に配置され、それにより、踵クッション４０ｂを受容する。踏まず芯５４ｂおよび踵クッション４０ｂは、ミッドソール３０ｂに接着されるか、または他の方法で固定される。支持プレート５０ｂは、アッパーの外側に配置されて、ミッドソール３０ｂの下面およびアッパーのゆとり分に接着されるか、または他の方法で固定される。本実施形態において、支持プレート５０ｂはつま先から踵まで延在し、踵領域内でシューズ１０ｂの外側に沿って上方向に延出する一体型外側踵カウンタ５８ｂを有する。外側踵カウンタ５８ｂにより、踵領域内の支持力が強化される。支持プレート５０ｂは、ナイロンまたは他の同様の材料から形成されることができ、好ましくはグレード２の可撓性を有する。アウトソール６０ｂは図３ｂに示され、支持プレート５０ｂの下面に接着されるか、または他の方法で固定される。アウトソール６０ｂは、ゴムまたは他の同様のアウトソール材料から形成されることができる。スポーツサンダルのアウトソールの場合と同様に、アウトソールは、支持プレート５０ｂの下面が見えるようにする透明材料１４２ｂを充填した中央開口６２ｂを有していてもよい。所望ならば、支持プレート５０ｂは、所望の美的外観を与えるとともに、マルチスポーツシューズ１０ｂをスポーツサンダル１０ａに視覚的に結び付ける特別な設計要素を含んでもよい。図示のように、マルチスポーツシューズ１０ｂのアウトソール６０ｂのトレッド要素の設計および形状は、スポーツサンダル１０ａのアウトソール６０ａに視覚的に似ているが、同じではない。トレッド要素は、１つのアウトソール６０ａから次のアウトソール６０ｂへのモーフィング進化の外観を与えるように構成される。視覚的類似性は、２つのアウトソール６０ａおよび６０ｂの輪郭にも存在し、それにより、製品１０ａおよび１０ｂ間にさらなる設計上の関連性を与える。
【００２１】
図４ａのデイハイキングシューズは、軽いハイキングカテゴリーでの使用を目的とする。デイハイキングシューズ１０ｃは全体として、アッパー２０ｃ、フットベッド７０ｃ、内部ミッドソール３０ｃ、支持プレート５０ｃおよびアウトソール６０ｃを備え、後述する点を除いて、マルチスポーツシューズ１０ｂと実質的に同じである。デイハイキングシューズ１０ｃは、マルチスポーツシューズ１０ｂのローカットアッパー２０ｂより強化された足首サポートを行う中間高さアッパー２０ｃを有する。アッパー２０ｃは、主に布から形成される。中間高さアッパー２０ｃは、足首カラー２１の上部に追加的な靴紐フック８２ｃを有する。支持プレート５０ｃは、マルチスポーツシューズ１０ｂの支持プレート５０ｂより剛直（たとえば、グレード２ではなくグレード４の剛性）であって、より大型の一体型踵カウンタ５８ｃを有する。踵カウンタ５８ｃは、ミッドソール３０ｃのより高い位置まで延出して、踵領域内の追加支持を行う。アウトソール６０ｃが図４ｂに示されている。このラインの他の製品の場合と同様に、アウトソール６０ｃは、支持プレート５０ｃの下面が見えるようにする透明材料１４２ｃを充填した中央開口６２ｃを有していてもよい。所望ならば、支持プレート５０ｃは、デイハイキングシューズ１０ｃをマルチスポーツシューズ１０ｂおよびスポーツサンダル１０ａに視覚的に結び付ける特別な設計要素を含んでもよい。アウトソール６０ｃのトレッド要素の設計および形状は、マルチスポーツシューズ１０ｂのアウトソール６０ｂに視覚的に似ているが、同じではないこともわかるであろう。たとえば、デイハイキングシューズ１０ｃのアウトソール６０ｃは、明確な踵６４ｃを有し、それのラグ深さが増大している。アウトソール６０ｃは、マルチスポーツシューズ１０ｂのアウトソール６０ｂよりさらに高くまでミッドソール３０ｃを包み込む。この製品ラインのアウトソール６０ａ、６０ｂおよび６０ｃ間の視覚的類似性は輪郭にも存在し、やはりマルチスポーツシューズ１０ｂからより高性能のデイハイキングシューズ１０ｃへの進化またはモーフィングを示す。
【００２２】
図５ａのハイキングブーツは、ハイキングカテゴリーでの使用を目的とする。ハイキングブーツ１０ｄは全体として、アッパー２０ｄ、フットベッド７０ｄ、内部ミッドソール３０ｄ、支持プレート５０ｄ、踵カウンタ９６ｄおよびアウトソール６０ｄを備える。ハイキングブーツ１０ｄのアッパー２０ｄは、ハイキングに必要な支持力を与えるように構成されている。アッパー２０ｄは、足首の上方に十分に延在する比較的高いカラーを有する。本実施形態では、アッパー２０ｄは、約２．２〜２．４ミリメートルの厚さのトップグレイン革から形成される。アッパー２０ｄは、防水性／通気性ゴアテックス(Gore-Tex)（登録商標）ライナー（図示せず）で裏打ちされており、軟質で耐久性のある布内側ライナー（図示せず）を有することもでき、そのさまざまなものが周知であって、さまざまな供給者から容易に入手可能である。ハイキングブーツ１０ｄは、足前部領域全体に靴紐リング８８ｄを、足首カラー２１ｄに沿って靴紐フック８２ｄを有する金属留め具を有する耐久性のより高い靴紐機構８０ｄを有することもできる。靴紐８４ｄは、３つの合成芯を有する丸形靴紐であってもよい。アッパー２０ｄは、アッパー２０ｄに縫い付けられるか、または他の方法で固定された足首支持部２６ｄを有する。足首支持部２６ｄは好ましくは、ＴＰＵまたは他の同様の材料から形成される。マルチスポーツシューズ１０ｂおよびデイハイキングシューズ１０ｃの場合と同様に、ハイキングブーツ１０ｄの足首支持部２６ｄは、足首支持部２６ｄの端部に取り付けられた靴紐フック８２ｄを有し、それにより、足首支持部２６ｄを靴紐機構８０ｄによって足首の周囲にぴったり引き寄せることができる。アッパー２０ｄは、つま先の革の擦り傷を防止するゴムつま先ガード２３ｄも有する。つま先ガード２３ｄは、アッパー２０ｄに縫い付けられるか、接着されるか、または他の方法で固定される。フットベッド７０ｄ、ミッドソール３０ｄおよび支持プレート５０ｄは、アッパー２０ｄの内部に配置されて、アッパー２０ｄの周縁部分が支持プレート５０ｄの下面の下側に巻き付けられて、たとえば、接着によって支持プレート５０ｄに固定される。ミッドソール３０ｄは、デイハイキングシューズ１０ｃのミッドソール３０ｃより硬質のＥＶＡから形成してもよい。支持プレート５０ｄは、グレード６の剛性を有して、デイハイキングシューズ１０ｃの支持プレート５０ｃより強い支持を行う。外側踵カウンタ９６ｄは、支持プレート５０ｄから分離しており、ナイロン、ＴＰＵまたは他の同様の剛直な材料から形成してもよい。踵カウンタ９６ｄは、アッパー２０ｄおよび支持プレート５０ｄに、接着されるか、または他の方法で固定される。アウトソール６０ｄが図５ｂに示されており、踵カウンタ９６ｄの下面が見えるようにする透明材料１４２ｄを充填した中央開口６２ｄを形成してもよい。図示していないが、アウトソール６０ｄは、その異なる部分を異なる材料で形成してもよい。たとえば、所定の内側ラグまたはトレッドを、周辺ラグまたはトレッドより軟質の材料から形成してもよい。材料を組み合わせたアウトソールは、本明細書に記載されている製品のいずれに組み込むこともできる。所望ならば、踵カウン��９６ｄは、このラインの製品を視覚的に結び付ける特別な設計要素を有してもよい。アウトソール６０ｄのトレッド要素の設計および形状は、デイハイキングシューズ１０ｃのものに視覚的に似ているが、同じではない。デイハイキングシューズのアウトソール６０ｃからハイキングブーツのアウトソール６０ｄへのモーフィングまたは進化の外観を与えるように、設計変更が選択される。ハイキングブーツのアウトソール６０ｄは明確な踵６４ｄを有し、それのラグ深さはデイハイキングシューズ１０ｃのものより増大している。アウトソール６０ｄは、デイハイキングシューズ１０ｃのアウトソール６０ｃよりさらに高くまでミッドソール３０ｄを包み込み、デイハイキングシューズ１０ｃのアウトソール６０ｃの視覚的および機能的進化である輪郭を有する。
【００２３】
図６ａのバックパッキングブーツは、バックパッキングカテゴリーでの使用を目的とする。バックパッキングブーツ１０ｅは全体として、後述する点を除いて、ハイキングブーツ１０ｄと同じである。バックパッキングブーツのアッパー２０ｅは、ハイキングブーツ１０ｄのカラーより脚の高い位置まで延出するカラー２１ｅを有する。アッパー２０ｅは、約２．６〜２．８ミリメートルの厚さのトップグレイン革から形成される。アッパー２０ｅは、防水性／通気性ゴアテックス(Gore-Tex)（登録商標）ライナーを有する。アッパー２０ｅには、アッパー２０ｅの踵の周囲を包んでカラー２１ｅ内まで延出し、それによって足首に高い安定度を与える包囲形足首／踵支持部２６ｅが設けられている。１対の靴紐フック８２ｅが足首／踵支持部２６ｅに取り付けられ、それにより、靴紐８４ｅを締め付けたとき、支持部を踵および足首の周囲にぴったり引き寄せることができる。靴紐機構８０ｅは、ハイキングブーツ１０ｄの靴紐機構８０ｄより強化されており、足前部に沿ってローラを備えた靴紐留め具８８ｅを、また足首およびカラー２１ｅに沿って二列リベット靴紐フック８２ｅを有する。靴紐８４ｅは、３つの合成芯を有する丸形靴紐でよく、また撥水性を有してもよい。フットベッド７０ｅ、ミッドソール３０ｅおよび支持プレート５０ｅは、アッパー２０ｅの内部に配置されている。フットベッド７０ｅは、足の母指球に、たとえば５ミリメートルのクッション材を有する、ハイキングブーツ１０ｄのフットベッド７０ｄより厚い、あるいは剛直なクッション材料を有することができる。ミッドソール３０ｅは、デイハイキングシューズ１０ｄのミッドソール３０ｄより高密度の（硬さが増した）ＰＵまたはＥＶＡから形成されることができる。支持プレート５０ｅは好ましくは、ナイロンまたは他の同様の材料から形成され、グレード８の剛性を有する。外側踵カウンタ９６ｅは、ハイキングブーツ１０ｄの踵カウンタ９６ｄの強化形である。バックパッキングブーツの踵カウンタ９６ｅは、アッパー２０ｅのより高い位置まで延出しており、ハイキングブーツ１０ｄの踵カウンタ９６ｄより剛性が高い材料から形成されることができる。アウトソールが図６ｂに示されており、この製品ラインのアウトソールのさらなる進化型である。たとえば、ラグの数が減少しているが、それらのラグ深さ（たとえば、８ミリメートル）および形状寸法が大きくなっている。アウトソール６０ｅは、踵カウンタ９６ｅの下面が見えるようにする透明材料１４２ｅを充填した中央開口６２ｅを有している。踵カウンタ９６ｅは、このライン内の製品を視覚的に結び付ける設計要素を有する。
【００２４】
図７ａの登山靴１０ｆは、登山カテゴリでの使用を目的とする。さまざまな性能要素の特性は、技術的性能の点で最高であるグレードになっている。アッパー２０ｆは、３ミリメートルの厚さのエキゾチック革またはトップグレイン革から形成される。アッパー２０ｆは、バックパッキングブーツ１０ｅのものより脚のさらに高い位置まで延出する足首カラー２１ｆを有する。足首／踵支持部２６ｆは、ＴＰＵまたは他の同様の材料から成形されて、バックパッキングブーツ１０ｅの足首／踵支持部２６ｅよりアッパー２０ｆの多くの部分を覆うことができる。靴紐機構８０ｆは、足前部に沿ってローラ部材を備えた靴紐留め具８８ｆを、また足首およびカラーに沿って二列リベット靴紐フック８２ｆを有することができる。３つの二列リベット靴紐フック８２ｆを足首／踵支持部２６ｆに取り付けてもよい。アッパー２０ｆは、バックパッキングブーツ１０ｅのつま先ガード２３ｅよりアッパー２０ｆのさらにより多くの部分を保護するために、大型のゴムつま先ガード２３ｆを有することができる。フットベッド７０ｆ、ミッドソール３０ｆおよび支持プレート５０ｆは、アッパー２０ｆの内部に配置される。フットベッド７０ｆは、漸変クッション性（graded cushioning properties）を有してもよく、好ましくは温度および汗の管理を行うハイテク性能を有するライニング７２ｆを有する。支持プレート５０ｆは好ましくは、炭素繊維から形成され、グレード１０の剛性を有する。外側踵カウンタ９６ｆは、カット踵ピース９８ｆをアウトソール６０ｆの踵凹部６６ｆに挿入できるようにするほぼＵ字形の水平部分９７ｆを有してもよい。外側踵カウンタ９８ｆは、アッパー２０ｆに接着されるか、または他の方法で固定される。アウトソール６０ｆは、ゴムまたは他の同様の材料から形成される。アウトソール６０ｆは、カット踵ピース９８ｆ用の内部空隙６６ｆを形成する隆起踵６４ｆを有する。踵ピース９８ｆは、ＥＶＡまたは他の同様の材料から形成されて、空隙６６ｆ内に接着されるか、または他の方法で固定されることができる。トレッドパターンは、バックパッキングブーツ１０ｅのアウトソール６０ｅの進化型であって、アッパーのさらにより高い位置まで延在する、同様であるが大胆な輪郭を有しており、より独立的なつま先および踵延長部（図７ｂを参照）を有する。トレッド要素はより深く（たとえば、ラグが８〜１０ミリメートルの範囲にある）、中央ラグは、バックパッキングブーツ１０ｅの丸み付き中央ラグよりもっと鋭角になっている。
【００２５】
図８〜図１３は、軽スポーツサンダル（図８ａを参照）、マルチスポーツサンダル（図９ａを参照）、シャンダル（図１０ａを参照）、軽トレイルランニングシューズ（図１１ａを参照）、トレイルランニングシューズ（図１２ａを参照）および高性能トレイルランニングシューズ（図１３ａを参照）を含む代替の製品ラインを示す。図８ａのスポーツサンダルは、軽スポーツ活動での使用を目的とする。本実施形態において、スポーツサンダル１０ｇは全体として、アウトソール６０ｇ、アウトソール６０ｇの一部分の上に重なる部分支持プレート５０ｇ、踵領域内のクッションインサート４０ｇ、ミッドソール３０ｇおよびアッパー２０ｇを有する（図８ａを参照）。アッパー２０ｇは、さまざまな軽スポーツ活動で使用されるための十分な支持を行うように設計されている。サンダルアッパー２０ｇは、着用者の足の足前部、足首および踵に重なるように構成されたストラップ２２ｇを有する。足前部ストラップ２２ｇは、足前部の上方にＸ字形相互接続部を形成する１対の支持ストラップ２５ｇを有する。足前部の上方に支持ストラップ２５ｇ等のＸ字形部品を使用することが、このラインの製品のすべてに共通である。これは、独特の機能的利点を与えるだけでなく、製品を相互に関連付けて、視覚的進化点（point of visual evolution）を与えるのを助ける。支持ストラップ２５ｇは、合成革、革、または軽スポーツ活動に適した他の従来型材料から形成されることができる。足前部および足首ストラップ２２ｇは、長さが調節可能であり、ベルクロ(Velcro)（登録商標）、またはプラスチッククリップ等の他の取り外し可能なファスナーによって取り外し可能に固定される。支持力を強化するとともに、設計の魅力を与えるために、サンダルアッパー２０ｇの両側の合成材料に成形ピース２７ｇが縫い付けられるか、または接着される。アッパー２０ｇはまた、ネオプレーン等の従来型ライニング材料（図示せず）を有してもよい。ライニング材料は、軽スポーツ活動に適するように選択される。本実施形態において、支持プレート５０ｇは、サンダル１０ｇのつま先またはその付近で始まる点から後方向に土踏まず領域を通って延出して、踵領域の前部またはその付近で終端する。足前部領域内での長手方向可撓性を改善するために、支持プレート５０ｇは、足前部領域内に間隔を置いて配置された複数の横切り欠き５１ｇを形成してもよい。支持プレート５０ｇの後端部５２ｇを弓形にして、それにより、踵クッション４０ｇが適切に動作できるようにしてもよい。支持プレート５０ｇは、ナイロンまたは他の同様の材料から形成されることができ、好ましくはグレード２の剛性を有する。ミッドソール３０ｇは、ソール用の主たるクッションになる。ミッドソール３０ｇは、ＥＶＡまたは他の同様のクッション材料から形成されることができる。ミッドソール３０ｇは、単一材料から形成されてもよいが、異なる領域に異なる性質の材料を有してもよい。本実施形態では、ミッドソールは、アッパー２０ｇ用の複数の打ち抜き孔３２ｇを有している。ストラップ２２ｇを打ち抜き孔３２ｇに下向きに挿通して、ミッドソール３０ｇの下面に接着するか、または他の方法で固定する。ミッドソール３０ｇはまた、踵クッション４０ｇを有してもよい。踵クッション４０ｇは、ミッドソール３０ｇの下面内に形成された円形凹部（図示せず）内に配置される。踵クッション４０ｇは、ＥＶＡまたは他の同様のクッション材料から形成されて、中央の星形切り欠き４４ｇを形成してもよい。スポーツサンダル１０ｇのアウトソール６０ｇが図８ｂに示されており、ミッドソール３０ｇおよび支持プレート５０ｇの下面に接着されるか、または他の方法で固定される。アウトソール６０ｇは、ゴムまたは他の同様のアウトソール材料から形成することができる。アウトソール６０ｇは、複数のＸ字形ラグと、足前部領域の内側および踵領域の外側の複数の狭い間隔の平行なトレッド要素とを有する。大きいＸ字形処理部が土踏まず領域内に配置されている。
【００２６】
図９ａのマルチスポーツサンダル１０ｈは、軽スポーツサンダル１０ｇより激しいスポーツ活動での使用を目的とする。マルチスポーツサンダル１０ｈは、後述する点を除いて、軽スポーツサンダル１０ｇに構造が似ている。マルチスポーツサンダル１０ｈは全体として、アウトソール６０ｈ、アウトソール６０ｈの一部分の上に重なる部分支持プレート５０ｈ、踵領域内のクッションインサート４０ｈ、ミッドソール３０ｈおよびアッパー２０ｈを有する（図９ａを参照）。アッパー２０ｈは、軽スポーツサンダル１０ｇのアッパー２０ｇより高レベルの支持を行うように設計されている。したがって、アッパー２０ｈは、より重い材料から形成されることができるとともに、着用者の足のより多くを覆うように構成してもよい。足前部ストラップ２２ｈは、足前部の上方にＸ字形相互接続部を形成する１対の個別の支持ストラップ２５ｈを有する。さまざまなストラップは、合成革、革、または一般的なスポーツ活動に適した他の従来型材料から形成されることができる。スポーツサンダル１０ｇの場合と同様に、足前部および足首ストラップ２２ｈは、長さが調節可能であり、ベルクロ(Velcro)（登録商標）、またはプラスチッククリップ等の他の取り外し可能なファスナーによって取り外し可能に固定される。アッパー２０ｈはさらに、足前部および足首領域内の合成材料に縫い付けられるか、接着されるか、または他の方法で固定される幾つかの成形部材２７ｈを有する。成形部材２７ｈは、設計上の魅力を与えるとともに、アッパー２０ｈの支持力を強化する。アッパー２０ｈはさらに、足首の両側に配置された１対の足首支持部品２６ｈを有してもよい。足首支持部品２６ｈは、足首領域でのアッパー２０ｈの安定性を高め、それにより、スポーツ活動でのサンダルの性能を改善する高分子材料、たとえばＴＰＵから形成されることができる。足首支持部２６ｈは、アッパー２０ｈに縫い付けられるか、または他の方法で固定される。足首ストラップ２２ｈは、サンダル１０ｈの両側の足首支持部２６ｈ間に連結され、それにより、ストラップ２２ｈを締め付けたとき、足首ストラップ２２ｈを足首の周囲にぴったり引き寄せることができる。アッパー２０ｈはまた、ネオプレーンまたはライクラ等の従来型ライニング材料を有してもよい。ライニング材料は、スポーツ活動に適するように選択される。本実施形態において、ミッドソールは、アッパーを受容するための複数の打ち抜き孔３２ｈを形成するだけでなく、足首支持部２６ｈを受容するために側壁に１対の浅い凹部３４ｈを形成している。足首支持部２６ｈは、凹部３４ｈ内およびミッドソール３０ｈの下面に接着されるか、または他の方法で固定される。支持プレート５０ｈおよび踵クッション４０ｈは、軽スポーツサンダル１０ｇと概ね同じである。所望ならば、これらの部品の１つまたは複数の性能特性を変更し、それにより、マルチスポーツサンダル１０ｈに軽スポーツサンダル１０ｇより大きい支持力を与えることができる。マルチスポーツサンダル１０ｈのアウトソール６０ｈが図９ｂに示されている。アウトソールは、複数のＸ字形ラグと、足前部領域の内側および踵領域の外側の複数の狭い間隔の平行なトレッド要素とを有する。大きいＸ字���処理が土踏まず領域内に配置されている。図面からわかるように、軽スポーツサンダルのアウトソール６０ｇからマルチスポーツサンダルのアウトソール６０ｈへの明らかな視覚的進化がある。
【００２７】
図１０ａのシャンダル１０ｉは、中程度のスポーツ活動での使用を目的とする。シャンダルは、シューズと同様に閉鎖された前部を有するアッパー２０ｉ、およびサンダルと同様に開放した後部を有する混成履物製品である。アッパー２０ｉは、布メッシュおよび合成革の組み合わせから形成される。メッシュ材料１１０ｉは、アッパー２０ｉの側部に沿ってつま先領域の上方に延在するとともにベロ１２０ｉを通って上方向に延びるアッパー２０ｉの前部分の大部分を形成する。アッパー２０ｉには、メッシュ１１０ｉの、シャンダルの両側の部分の上に重なって、後部の周囲を包み、それにより、踵ストラップ１００ｉを形成する合成革材料１１４ｉが設けられている。別体の合成材料ピース１１４ｉも踵の後部の周囲を包み、上方前向きに延出し、それにより、調節可能な足首ストラップ２２ｉを形成する。足首ストラップ２２ｉは、所望のストラップ長さを設定するために選択的に折り返して固定できるようにするベルクロ(Velcro)（登録商標）ストリップを有する。アッパー２０ｉは、合成材料から形成されたつま先ガード２３ｉも有する。アッパー２０ｉの両側に踵ストラップ１００ｉを形成する合成材料１１４ｉに成形ピース２７ｉを縫い付けるか、接着するか、または他の方法で固定する。シャンダル１０ｉはさらに、（後述する）トレイルランニングシューズ１０ｋの足前部サドル１２６ｋとほぼ同じ構造の足前部サドル１２６ｉを有する。調節式足首ストラップ２２ｉに加えて、シャンダル１０ｉは、サドル１３６ｉ上の靴紐ループ８６ｉと、ベロ開口２８ｉに沿って延在する追加の靴紐ループ８６ｉとを通る靴紐８４ｉを有する。靴紐８４ｉは引き締め靴紐クリップ８５ｉを有して、それによって靴紐８４ｉを所望の長さに固定できるようにしてもよい。アッパー２０ｉはさらに、踵ストラップ１００ｉの後部に固定された踵パッド１０２ｉおよびプルループ１２４ｉを有する。シャンダル１０ｉは好ましくは、高レベルの空気／水流量を与える穿孔フットベッド７０ｉを有する。クッション層７２ｉは、その下面に格子状の形状を有し、この「格子」の線の間の空間が穿孔されている。フットベッド７０ｉは、クッション層７２ｉの上側に取り付けられた布層７４ｉを有する。布層７４ｉの布は好ましくは、比較的目の粗い織り地を有し、それにより、空気および水が布を自由に通過する。他の製品の場合と同様に、ミッドソール３０ｉは、ＥＶＡまたは他の同様のクッション材料から形成される。ミッドソール３０ｉは、単一材料から形成されてもよいし、異なる領域内に異なる性質の材料を有してもよい。本実施形態において、ミッドソール３０ｉは、ミッドソール３０ｉの長手方向の両縁部に沿ってより硬い材料の領域１４０ｉを有する。ミッドソール３０ｉは、その上面に踵クッション凹部４２ｉを有している。踵クッション４０ｉは、ミッドソール３０ｉに接着されるか、または他の方法で固定されることができる。シャンダル１０ｉは、足前部ピース６８ｉおよび踵ピース６９ｉを有する２部材アウトソールを有する（図１０ｂを参照）。シャンダルのアウトソール６０ｉのトレッドパターンは、マルチスポーツサンダルのアウトソール６０ｈのトレッドパターンの進化型であり、足前部領域内に���数のＸ字形ラグを有するとともに、足前部領域の周辺ラグに同様の設計要素を有する。シャンダル１０ｉでは、ラグの深さがマルチスポーツサンダル１０ｈより幾分大きい。シャンダル１０ｉはさらに、略Ｘ字形のアウトソール支持部７６ｉを有する。アウトソール支持部７６ｉは、ナイロン、ＴＰＵまたは他の同様の材料から成形される。アウトソール支持部７６ｉの材料、厚さおよび形状は、所望の支持力を与えるように選択される。Ｘ字形アウトソール支持部７６ｉは、側方およびねじり支持力を与えるだけでなく、このラインのその他の製品との進化的な視覚関連性を与える。
【００２８】
図１１ａの軽トレイルランニングシューズ１０ｊは全体として、アッパー２０ｊ、フットベッド７０ｊ、ミッドソール３０ｊ、アウトソール６０ｊおよびアウトソール支持部品７６ｊを有する。アッパー２０ｊは、合成材料および布メッシュの組み合わせから形成される。代替として、アッパー２０ｊは、軽量であるとともに高レベルの空気流量を可能にする他の目の粗い織り地または通風材料を有してもよい。アッパー２０ｊは、シューズの前部の大部分に延在する目の粗いメッシュ１１０ｊを有する。本実施形態では、強化された支持力および視覚的魅力を与える格子状プラスチック材料をメッシュ１１０ｊに積層している。アッパー２０ｊは、目の粗いメッシュ１１０ｊの上に重なる第２メッシュ１１２ｊを有する。第２メッシュ１１２ｊは、目の粗いメッシュ１１０ｊより密な織り地で形成してもよい。アッパー２０ｊはまた、はと目ステイ（eyestay）１１６ｊ用およびベロ１２０ｊに沿ったトリム１１８ｊ用に合成革材料を有してもよい。アッパー２０ｊはさらに、ミッドソール３０ｊから上方向に延出してプルループ１２４ｊで終端する成形バックステイ１２２ｊを有する。アッパー２０ｊはまた、メッシュ１１０ｊおよび１１２ｊを通過する空気流量をあまり減少させないように選択されたライニング材料も有する。アッパー２０ｊはさらに、ゴムまたは他の同様の材料から形成されたつま先ガード２３ｊを有する。つま先ガード２３ｊは、アッパー２０ｊに縫い付けられるか、接着されるか、または他の方法で取り付けられることができる。アッパー２０ｊは、足前部領域内に優れた支持力および可撓性を与えるＸ字形足前部サドル１２６ｊを有し、このサドルは一方で、この製品ラインの残りのものとの設計の関連性を与える。足前部サドル１２６ｊは、２つの成形部品１２８ｊと、シューズの各側に沿って上方向に延出する２対のストラップ１３０ｊとを有する。成形部品１２８ｊはそれぞれ、アッパー２０ｊの底部の方に向かって拡散する４つの脚部１３２ｊを有する。成形部品１２８ｊは、アッパー２０ｊに縫い付けられるか、または他の方法で固定されることができる。サドルストラップ１３０ｊは、成形部品１２８ｊの上に重なって、協働してＸ字形パターンを形成する。各ストラップ１３０ｊは、靴紐８４ｊを受容するようになっているループで終端する。その結果、靴紐８４ｊを締め付けたとき、足前部サドル１２６ｊを足前部の上にぴったり引き付けることができる。アッパー２０ｊはさらに、踵領域からシューズ１０ｊの両側で足首領域を通って上方向に延出する１対のアーム３６ｊを有する足首支持部品２６ｊを有する。各アーム３６ｊの上端部は１対の靴紐はと目８１ｊを形成し、それにより、足首支持部を靴紐機構８０ｊに組み込むことができる。足首支持部は、ＴＰＵまたは他の同様の材料から成形されることができる。靴紐機構８０ｊは、足前部サドル１２６ｊ、ベロ開口２８ｊに沿って形成された複数のはと目８１ｊ、および足首支持部２６ｊ内のはと目８１ｊを通る靴紐８４ｊを有する。このシューズ１０ｊは好ましくは、実質的にシャンダル１０ｉのフットベッド７０ｉと同じである穿孔フットベッド７０ｊを有する。ミッドソール３０ｊは、シューズ用の主たるクッションに��る。他の製品の場合と同様に、ミッドソール３０ｊはＥＶＡまたは他の同様のクッション材料から形成される。ミッドソールは、単一材料から形成されてもよいし、異なる領域内に異なる性質の材料を有してもよい。本実施形態において、ミッドソールは、ミッドソール３０ｊの長手方向の両縁部に沿ってより硬い材料の領域１４０ｊを有する。ミッドソール３０ｊは、その上面に踵クッション凹部４２ｊを有している。踵クッション凹部４２ｊは、踵領域の中央に配置され、それにより、強化クッション性を与えるとともに着用者の踵を踵ポケット内の中心に配置する踵クッション４０ｊを受容する。踵クッション４０ｊは、ミッドソール３０ｊに接着されるか、または他の方法で固定されることができる。軽トレイルランニングシューズ１０ｊは、シャンダル１０ｉのアウトソール６０ｉおよびアウトソール支持部７６ｉと実質的に同じであるアウトソール６０ｊおよびアウトソール支持部７６ｊを有し、したがって、個別には説明しない。
【００２９】
図１２ａのトレイルランニングシューズ１０ｋは、軽トレイルランニングシューズ１０ｊよりもっと激しいトレイルランニングでの使用を目的とする。トレイルランニングシューズ１０ｋは、後述する点を除いて、軽トレイルランニングシューズ１０ｊに構造が似ている。トレイルランニングシューズ１０ｋは全体として、アッパー２０ｋ、フットベッド７０ｋ、踵クッション４０ｋ、足前部クッション４６ｋ、ミッドソール３０ｋ、アウトソール６０ｋおよびアウトソール支持部７６ｋを有する。アッパー２０ｋは、布メッシュおよび合成革の組み合わせから形成される。第１メッシュ材料１１０ｋが、アッパー２０ｋの下部の大部分を形成する。第２メッシュ１１２ｋが、アッパー２０ｋの上部の大部分およびつま先およびベロ１２０ｋの一部分を形成する。第２メッシュ１１２ｋは、第１メッシュ１１０ｋより目の粗い織り地でもよい。アッパー２０ｋは、第１メッシュ１１０ｋの一部分の上に重なるとともにつま先の前部分の上に延在する合成革材料を有する。支持力を強化するために、アッパー２０ｋの両側で合成材料の上に成形ピース２７ｋを縫い付けるか、接着するか、または他の方法で固定する。トレイルランニングシューズ１０ｋはさらに、軽トレイルランニングシューズ１０ｊの足前部サドル１２６ｊと実質的に同じである構造の足前部サドル１２６ｋを有する。しかし、サドル１２６ｋの成形ピース１２８ｋは、たとえば、より硬い材料を使用するか、その他の方法でそれらの寸法を大きくすることにより、軽トレイルランニングシューズ１０ｊより大きい支持力を与えるように形成してもよい。軽トレイルランニングシューズ１０ｊの場合と同様に、トレイルランニングシューズ１０ｋのアッパー２０ｋはさらに、踵領域からシューズ１０ｋの両側で足首領域を通って上方向に延出する１対のアーム３６ｋを有する足首支持部品２６ｋを有する。各アーム３６ｋの上端部は、靴紐８４ｋを受容する１対の靴紐はと目８１ｋを有している。足首支持部２６ｋは、ＴＰＵまたは他の同様の材料から成形されることができ、軽トレイルランニングシューズ１０ｊの足首支持部２６ｊより大きい支持力を与えるように設計してもよい。アッパー２０ｋはさらに、ミッドソールから上方向に延出してプルループ１２４ｋで終端する成形バックステイ１２２ｋを有する。フットベッド７０ｋは、クッション層７２ｋの上に取り付けられた布層７４ｋを有する。フットベッド７０ｋの足前部領域の下面に凹部（図示せず）が形成されている。ＥＶＡクッション４６ｋが凹部にはめ込まれ、それにより、足前部領域内に所望レベルの支持力を有するフットベッド７０ｋが得られる。ミッドソール３０ｋは、軽トレイルランニングシューズ１０ｊのミッドソール３０ｊに似ているが、アウトソール６０ｋおよびアウトソール支持部７６ｋを受容するために幾分異なる輪郭を有する。ミッドソール３０ｋは、軽トレイルランニングシューズ１０ｊの場合より硬いＥＶＡ（または他のクッション材料）から形成され、それにより、強化支持力を与えるようにしてもよい。本実施形態において、ミッドソール３０ｋは、ミッドソール３０ｋの長手方向の両縁部に沿ってより硬い材料の領域１４０ｋを有する。図示のように、ミッドソール３０ｋの内側に沿って延在するより硬い材料１４０ｋは、さらに内側に延在して土踏まずおよび踵領域を通り、それにより、それらの領域内に強化支持力を与える。軽トレイルランニングシューズ１０ｊの場合と同様に、トレイルランニングシューズ１０ｋは、足前部ピース６８ｋおよび踵ピース６９ｋを有する２部材アウトソールを有する（図１２ｂを参照）。トレイルランニングアウトソール６０ｋのトレッドパターンは、軽トレイルランニングアウトソール６０ｊのトレッドパターンに非常に似ており、足前部領域内に複数のＸ字形ラグを有する。トレイルランニングシューズ１０ｋでは、ラグの深さが軽トレイルランニングシューズ１０ｊの場合より幾分大きい。トレイルランニングシューズ１０ｋはまた、設計および形状が軽トレイルランニングシューズ１０ｊのアウトソール支持部７６ｊに似ている、略Ｘ字形アウトソール支持部７６ｋを有する。アウトソール支持部７６ｋは、ナイロン、ＴＰＵまたは他の同様の材料から成形され、より硬い材料を使用すること、および／または支持部７６ｊの形または寸法を大きくすることにより、軽トレイルランニングシューズ１０ｊのアウトソール支持部７６ｊより強い支持力を与えるように設計してもよい。
【００３０】
図１３ａの高性能トレイルランニングシューズ１０ｍは、図１２ａのトレイルランニングシューズ１０ｋよりさらに激しい使用を目的とする。したがって、高性能トレイルランニングシューズ１０ｍは、最高レベルの性能を与えるためにグレードを高めた多数の性能要素を有する。アッパー２０ｍは、通気性がある防水アッパーを提供するハイテクメッシュ布１１０ｍを有する。たとえば、アッパーは、目の粗い織り地に重ねられたゴアタルサス(Gore Tarsus)（登録商標）膜を有してもよい。アッパー２０ｍは、足首カラー２１ｍおよびベロ１２０ｍに沿ったトリムとして、合成革材料１１４ｍを有してもよい。アッパー２０ｍはさらに、シューズの各側に耐久性のある成形フレーム１２８ｍを有する足前部サドル１２６ｍを有し、各成形フレーム１２８ｍの上部に１対の靴紐ループ８６ｍが設けられている。成形フレーム１２８ｍは、ミッドソール３０に接着されるか、または他の方法で固定されるが、好ましくは、ハイテクメッシュ布１１０ｍには取り付けられない。１対の短いウェブ部１３０ｍを各成形フレーム１２８ｍの上部に縫い付け、それにより、サドルを靴紐機構８０ｍに相互連結させることができる１対の靴紐ループ８６ｍを形成する。アッパー２０ｍはさらに、ミッドソール３０ｍから上方向に延出するとともにプルループ１２４ｍで終端する成形バックステイ１２２ｍを有する。アッパー２０ｍはまた、踵領域からシューズの両側で足首領域を通って上方向に延出する１対のアーム３６ｍを有する足首支持部品２６ｍを有する。各アーム３６ｍの上端部は、靴紐８４ｍを受容するための１対の靴紐はと目８１ｍを有している。足首支持部２６ｍは、ＴＰＵまたは他の同様の材料から成形されることができ、また、トレイルランニングシューズ１０ｋの足首支持部２６ｋよりさらに強い支持力を与えるように設計してもよい。このシューズ１０ｍのフットベッド７０ｍは、トレイルランニングシューズ１０ｋのフットベッド７０ｋに似ており、クッション層７２ｍの上に取り付けられた布層７４ｍを有する。フットベッド７０ｍは、足前部領域内のフットベッド７０ｍの下面にはめ込まれるカットＥＶＡクッション４６ｍを有する。ミッドソール３０ｍは、トレイルランニングシューズ１０ｋのミッドソール３０ｋに似ているが、アウトソール６０ｍおよびアウトソール支持部７６ｍを受容するために幾分異なる輪郭を有してもよく、また、強化支持力を与えるより硬質のＥＶＡから形成してもよい。ミッドソール３０ｍは、ミッドソール３０ｍの長手方向の両縁部に沿ってより硬い材料の領域１４４ｍを有する。図１２ａのトレイルランニングシューズ１０ｋと同様に、ミッドソール３０ｍの内側に沿って延在するより硬い材料１４４ｍは、さらに内側に延在して土踏まずおよび踵領域を通り、それにより、それらの領域内に強化支持力を与えることができる。トレイルランニングシューズ１０ｋの場合と同様に、高性能トレイルランニングシューズ１０ｍは、足前部ピース６８ｍおよび踵ピース６９ｍを有する２部材アウトソールを有する（図１３ｂを参照）。高性能トレイルランニングアウトソール１０ｍのトレッドパターンは、トレイルランニングアウトソール６０ｋのトレッドパターンと非常に似ており、��前部領域内に複数のＸ字形ラグを有する。高性能トレイルランニングシューズ１０ｍでは、ラグの深さがトレイルランニングシューズ１０ｋの場合より幾分大きい。高性能トレイルランニングシューズ１０ｍはまた、設計および形状がトレイルランニングシューズ１０ｋのアウトソール支持部７６ｋに似ている略Ｘ字形アウトソール支持部７６ｍを有する。このシューズ１０ｍのアウトソール支持部７６ｍは、足前部領域内のシューズの内側縁部に沿って延びる延長脚部７８ｍを有する。延長脚部７８ｍは、内側足前部領域内に強化支持力を与える。アウトソール支持部７６ｍは、ナイロン、ＴＰＵまたは他の同様の材料から成形され、また、トレイルランニングシューズ１０ｋのアウトソール支持部７６ｋより強い支持力を与えるように設計されてもよい。
【００３１】
他の実施形態において、たとえば、異なる性能特性を有する多数のサンダル、多数のシューズまたは多数のブーツを含めて、機能カテゴリの分類を幾分より狭くすることができる。図１４〜図２１に示されている代替実施形態において、製品ラインは、ソングサンダル（図１４ａを参照）、スライドサンダル（図１５を参照）、コンバーチブルサンダル（図１６ａを参照）、スポーツサンダル（図１７を参照）、通風トレイルランニングシューズ（図１８ａを参照）、通風デイハイキングブーツ（図１９ａを参照）、革トレイルランニングシューズ（図２０を参照）および防水デイハイキングブーツ（図２１を参照）を含む。図１４ａのソングサンダル１０ｎは軽便用を目的としており、全体としてアッパー２０ｎ、ミッドソール３０ｎおよびアウトソール６０ｎを有する。アッパー２０ｎは概ね、合成材料から形成されるとともにネオプレーンライニングを有する従来型ソングアッパーである。成形「Ｍ」字形部材１３６ｎは、サンダルアッパー２０ｎの両側に縫い付けられるか、接着されるか、または他の方法で固定される。成形部品１３６ｎは、アッパー２０ｎに強化支持力を与える一方で、明らかなように、この製品ライン内で１つの製品から別のものにモーフィングまたは進化する独特の視覚外観も与える。ミッドソール３０ｎは概ね従来型であって、ＥＶＡまたは他の同様の材料から形成される。ミッドソール３０ｎは、アッパー２０ｎの端部がミッドソール３０ｎの下面の下側を通ってミッドソール３０ｎに接着されるか、または他の方法で固定されることができるようにする複数の貫通孔３２ｎを有している。ミッドソール３０ｎは、踵クッション４０ｎも有する。踵クッション４０ｎは、ミッドソール３０ｎの下面内に形成された円形凹部４２ｎ内に配置される。踵クッション４０ｎは、ＥＶＡから形成されることができ、中央の星形切り欠き４４ｎを有してもよい。ソングサンダル１０ｎは、ソールの一部分だけにわたって延在する支持プレート５０ｎを有する。支持プレート５０ｎの後端部５２ｎを弓形にして、それにより、踵クッション４０ｎが適切に動作できるようにしてもよい。支持プレート５０ｎは、ナイロンまたは他の同様の材料から形成されることができ、好ましくはグレード２の剛性を有する。アウトソール６０ｎは、ミッドソール３０ｎの下面に接着され、ゴムまたは他の同様の材料から形成される。トレッドパターンは、特徴的な形の群に配置された複数のラグを有する（図１４ｂを参照）。側面において、アウトソールはミッドソールの高さの途中まで延出し、ラグが波形線に沿って上方向に包み込む。
【００３２】
図１５のスライドサンダル１０ｏは、ソングサンダル１０ｎより強い支持力を与えることを目的とする。スライドサンダル１０ｏは全体として、アッパー２０ｏ、ミッドソール３０ｏ、支持プレート５０ｏおよびアウトソール６０ｏを有する。アッパー２０ｏは、合成材料から形成されて、ネオプレーンライニングを有する。アッパー２０ｏは、アッパー２０ｏの両側に固定された１対の成形「Ｍ」字形部材１３６ｏを有する。成形部材１３６ｏは、アッパー２０ｏに強化支持力を与えるとともに、このライン内の他の製品とのモーフィング的な視覚関連性を与える。ミッドソール３０ｏは概ね従来型であって、ＥＶＡまたは他の同様の材料から形成される。ミッドソール３０ｏは、アッパー２０ｏの端部がミッドソール３０ｏの下面の下側を通ってそれに接着されるか、または他の方法で固定されることができるようにする複数の貫通孔３２ｏを有している。ミッドソール３０ｏは、ソングサンダル１０ｏの踵クッション４０ｎと実質的に同じである踵クッション４０ｏも有する。スライドサンダル１０ｏは、ソングサンダル１０ｎの支持プレート５０ｎと実質的に同じである支持プレート５０ｏを有する。スライドサンダルのアウトソールは、ソングサンダルのアウトソール６０ｎと同じであり、従って個別には説明しない。
【００３３】
図１６ａのコンバーチブルサンダル１０ｐは、軽スポーツから中程度のスポーツ活動の範囲内での使用を目的とする。コンバーチブルサンダル１０ｐは、取り外し式踵ストラップ１００ｐを有する。ストラップ１００ｐを取り外したとき、サンダル１０ｐは軽スポーツ活動での使用に最も適切であるが、ストラップ１００ｐを取り付けたとき、サンダル１０ｐは中程度のスポーツ活動に適切である。スライドサンダル１０ｏと同様に、コンバーチブルサンダル１０ｐは全体として、アッパー２０ｐ、ミッドソール３０ｐ、支持プレート５０ｐおよびアウトソール６０ｐを有する。アッパー２０ｐは、合成材料から形成されて、ネオプレーンライニングを有する。アッパー２０ｐは、スライド２０ｏのアッパーに構造が似ている。しかし、それは構造的な重量感が相当に増しており、さらに前方かつさらに後方に延出して、それにより、着用者の足のより多くの部分を覆う。アッパー２０ｐは、取り外し式踵ストラップ１００ｐおよび調節式の足前部および踵ストラップ２２ｐを有する。アッパーライニングは、足前部上に延在する連続ネオプレーンピースを有する。他方、合成材料は、個別の内側および外側ピース１４４ｐおよび１４６ｐを有し、これらは足前部の上で調節可能に相互連結される。さらに詳しくは、外側ピース１４６ｐは、内側ピース内に形成された対応するストラップ孔１４８ｐを通って足前部上に延在するストラップ部材１５０ｐを有し、ストラップ部材１５０ｐを折り返してベルクロ(Velcro)（登録商標）または他の取り外し可能なファスナーによって固定するようにしてもよい。アッパー２０ｐはさらに、アッパー２０ｐの両側に固定された１対の成形「Ｍ」字形部材１３６ｐを有する。取り外し式踵ストラップ１００ｐは、合成材料から形成されて、踵の後側に係合するように、クッション部材１０２ｐおよびネオプレーンライニングを有することができる。アッパー２０ｐ内に形成された対応する孔１０６ｐに通されて、折り返して固定され、それにより、踵ストラップ１００ｐをアッパー２０ｐに取り外し可能に固定することができる１対のベルクロ(Velcro)（登録商標）ライニング付き小型ストラップ１０４ｐが、踵ストラップの両端部に形成されている。ミッドソール３０ｐは概ね従来型であり、ＥＶＡまたは他の同様の材料から形成される。ミッドソール３０ｐは、アッパー２０ｐの端部がミッドソールの下面の下側を通ってそれに接着されるか、または他の方法で固定されることができるようにする複数の貫通孔３２ｐを有している。ミッドソール３０ｐは、ミッドソール３０ｐの凹部４２ｐ内にはめ込まれる踵クッション４０ｐも有する。コンバーチブルサンダル１０ｐは、スライドサンダル１０ｏの支持プレート５０ｏに設計および構造が似ている支持プレート５０ｐを有する。所望ならば、支持プレート５０ｐは、スライドサンダル１０ｏの支持プレート５０ｏ用に使用されるものより剛直な材料から形成されてもよい。コンバーチブルサンダル１０ｐのアウトソール６０ｐが図１６ｂに示されている。図示のように、トレッドパターンは、スライドサンダルアウトソール６０ｏのトレッドパターンの進化型である。ラグおよびラグ群はよりシャープになって、曲線が少なく、主に角張った��ーナーを有する。このアウトソール６０ｐの側面は、スライドサンダルアウトソール６０ｏの側面に似ている。しかし、それもスライドサンダルアウトソール６０ｏからの進化型を表し、やはりよりシャープで角張った要素を有する。アウトソール６０ｐは、従来通りにミッドソール３０ｐおよび支持プレート５０ｐの下面に接着されるか、または他の方法で固定される。
【００３４】
スポーツサンダル１０ｇは、さまざまなスポーツ活動での使用を目的とする。スポーツサンダル１０ｑは全体として、アッパー２０ｑ、ミッドソール３０ｑ、部分支持プレート５０ｑ、踵領域内のクッションインサート４０ｑおよびアウトソール６０ｑを有する（図１７を参照）。スポーツサンダルのアッパー２０ｑは、合成材料から形成されて、足前部および土踏まずに重なるとともに踵の周りを通るように構成された一連のストラップ２２ｑを有する。アッパーはソール上で、コンバーチブルサンダル１０ｐのアッパー２０ｐよりさらに前方かつさらに後方に延出している。したがって、アッパー２０ｑは、着用者の足のより多くの部分を捕らえて、より大きい支持力を与えることができる。コンバーチブルサンダル１０ｐの場合と同様に、スポーツサンダル１０ｑは、内側ピース１４４ｑおよび外側ピース１４６ｑを有するアッパー２０ｑを備える。外側ピース１４６ｐは、足前部の上を通って内側ピース１４４ｑ上の対応するストラップはと目１４８ｑに通される１対のストラップ部材１５０ｑを有する。ストラップ部材１５０ｑは、ベルクロ(Velcro)（登録商標）によって裏打ちされるとともに折り返され、それにより、所望の長さに固定される。別法として、足前部および土踏まずストラップ１５０ｑをプラスチッククリップ等の他の従来型留め具によって固定してもよい。コンバーチブルサンダル１０ｐと異なって、スポーツサンダル１０ｑの踵ストラップ１００ｑは、アッパー２０ｑの一体部分である。アッパー２０ｑはさらに、アッパー２０ｑの両側に固定された１対の成形「Ｍ」字形部材１３６ｑを有し、これにより、支持力を強化するとともに、このライン内の他の製品との視覚関連性を与える。アッパー２０ｑは、ネオプレーン、ライクラ等の従来型ライニング材料も有することができる。ライニング材料は、スポーツ活動に適するように選択される。本実施形態において、ミッドソール３０ｑ、踵クッション４０ｑ、支持プレート５０ｑおよびアウトソール６０ｑは、コンバーチブルサンダル１０ｐのものと実質的に同じである。したがって、それらを詳細には説明しない。しかし、これらの部品は、たとえば、より硬く、より耐久性がある材料を使用することにより、強化支持力を与えるようなグレードにすることができることに留意されたい。
【００３５】
図１８ａの通風トレイルランニングシューズ１０ｒは、乾燥環境におけるトレイルランニングでの使用を目的とする。トレイルランニングシューズ１０ｒは全体として、アッパー２０ｒ、フットベッド７０ｒ、ミッドソール３０ｒおよびアウトソール６０ｒを有する。アッパー２０ｒは、合成材料および布メッシュの組み合わせから形成される。代替としてアッパー２０ｒは他の目の粗い織り地か、あるいは軽量で高レベルの空気流量を可能にする通風材料を有してもよい。アッパー２０ｒは、バンプおよびベロ１２０ｒの大部分にわたって延在する第１メッシュ材料１１０ｒと、シューズ１０ｒの踵の周囲に延在する第２メッシュ１１２ｒとを有する。アッパー２０ｒは、つま先ガード２３ｒ、ベロトリム１１８ｒ、およびシューズ１０ｒの各側の略「Ｍ」字形ピース１３４ｒを形成する合成材料も有する。合成材料は、下側のメッシュに縫い付けられるか、接着されるか、または他の方法で固定される。アッパー２０ｒはさらに、ミッドソール３０ｒから上方向に延出してプルループ１２４ｒで終端する成形バックステイ１２２ｒを有する。バックステイ１２２ｒは、下側のメッシュに縫い付けられるか、接着されるか、または他の方法で固定される。アッパー２０ｒはさらに、メッシュ１１０ｒおよび１１２ｒを通る空気流量をあまり減少させないように選択されたライニング材料を有する。アッパーはまた、シューズの両側で「Ｍ」字形合成ピース１３４ｒの上に重ねて配置された１対の成形「Ｍ」字形サドル部材１３６ｒも有する。成形部品１３６ｒは、ＴＰＵまたは他の同様の材料から成形されることができ、従来通りにアッパー２０ｒに縫い付けられるか、または他の方法で固定される。各成形部品１３６ｒは、「Ｍ」の各頂部の先端に靴紐フック８２ｒを有しており、それにより、靴紐８４ｒを受容することができる。その結果、靴紐８４ｒを引き締めたとき、サドル１３６ｒを足前部の周囲にぴったり引き付けることができる。サドル１３６ｒは、足前部領域内に可撓性を保持しながら、優れた支持を行う。同時に、成形部品１３６ｒは、製品ラインの残りのものとの設計関連性を与える。靴紐機構８０ｒは、足前部サドル１３６ｒ、ベロ開口２８ｒに沿って形成された複数の靴紐ループ８６ｒ、およびベロ開口２８ｒの上部に形成されたはと目８１ｒを通る靴紐８４ｒを有する。通風トレイルランニングシューズ１０ｒは好ましくは、高レベルの空気／水流量を与える穿孔フットベッド７０ｒを有する。クッション層７２ｒは、その下面に格子状の形状を有し、その「格子」の線の間の空間が穿孔されている。フットベッド７０ｒは、クッション層７２ｒの上側に取り付けられた布層７４ｒを有する。布層７４ｒは好ましくは、比較的目の粗い織り地を有し、それにより、空気および水が布層７４ｒを自由に通過する。ミッドソール３０ｒは、ＥＶＡまたは他の同様のクッション材料から形成される。ミッドソール３０ｒは、単一材料から形成されてもよいし、異なる領域内に異なる性質の材料を有してもよい。ミッドソール３０ｒの上面に踏まず芯凹部５６ｒおよび踵クッション凹部４２ｒが形成されている。踏まず芯凹部５６ｒは、土踏まず領域内に配置されて、着用者の足の土踏まずに所望の安定性を与える踏まず芯５４ｒを受容する。踏まず芯５４ｒの性質、たとえば大きさ、形状および材料は、用例ごとに変えてもよい。踵クッション凹部４２ｒは、ソールの踵領域の中心に配置されて、踵クッション４０ｒを受容する。踏まず芯５４ｒおよび踵クッション４０ｒは、ミッドソール３０ｒに接着されるか、または他の方法で固定される。トレイルランニングシューズ１０ｒのアウトソール６０ｒが図１８ｂに示されている。図示のように、トレッドパターンは、スポーツサンダルアウトソール６０ｑのトレッドパターンの進化型である。全体的に、アウトソール６０ｒおよび６０ｑは非常に似た外観を共有するが、一方のソールから他方のソールに明確に進化させるために、一部のラグおよびラグ群がモーフィングされるか、または省略されている。このアウトソール６０ｒではラグの深さも増加しており、より明確な踵６４ｒが導入されている。このアウトソール６０ｒの側面は、スポーツサンダルアウトソール６０ｑの側面に非常に似た状態にある。しかし、それは、スポーツサンダルアウトソール６０ｑよりもっと誇張された外観を与えるように構成されている点で、進化している。このライン内のその他の製品の場合と同様に、アウトソール６０ｒは、従来通りにミッドソール３０ｒの下面に接着されるか、または他の方法で固定される。
【００３６】
図１９ａの通風デイハイキングブーツ１０ｓは、乾燥環境における軽ハイキング活動での使用を目的とする。通風デイハイキングブーツ１０ｓは、通風トレイルランニングシューズ１０ｒに似ており、主にメッシュ材料で形成されたアッパー２０ｓを有する。デイハイキングブーツ１０ｓのアッパー２０ｓは、通風トレイルランニングシューズ１０ｒよりかなり高いカラー２１ｓを有し、それにより、強化足首支持力を与える。フットベッド７０ｓおよびミッドソール３０ｓは、通風トレイルランニングシューズ１０ｒのフットベッド７０ｒおよびミッドソール３０ｒと実質的に同じであるが、所望ならば、強化支持力を与えるために、フットベッドおよびミッドソールのクッション性を変えてもよい。通風デイハイキングブーツ１０ｓのアウトソール６０ｓは、通風ランニングシューズ１０ｒのものに似ている。アウトソール６０ｓは、実質的に同じトレッドパターンを有する（図１９ｂを参照）が、デイハイキングブーツ１０ｓでは、ラグ深さを増加させてもよく、またより目立つ踵６４ｓを導入してもよい。加えて、耐久性を高めるために、アウトソール６０ｓの材料を変えてもよい。他のすべてのアウトソールの場合と同様に、アウトソール６０ｓのトラクションおよび耐久性を適応管理するために、デイハイキングブーツ１０ｓのアウトソール６０ｓは、異なる領域に異なる材料を有してもよい。
【００３７】
図２０の革トレイルランニングシューズ１０ｔは、後述する点を除いて、図１８ａの通風トレイルランニングシューズ１０ｒと概ね同じである。このトレイルランニングシューズ１０ｔのアッパー２０ｔは、主に革で形成されている。（ベロ１２０ｔを含めた）アッパー２０ｔは、第１革材料１５２ｔから形成される。第２革材料１５４ｔが、アッパー２０ｔの両側部に沿って延在する実質的な側部ピース１３４ｔ、およびベロ１２０ｔの上部のトリム１１８ｔを形成している。側部ピース１３４ｔは、踵からつま先まで延在して、中央領域が略「Ｍ」字形になっている。側部ピース１３４ｔおよびベロトリム１１８ｔは、下側の第１革材料１５２ｔに縫い付けられるか、または他の方法で固定される。アッパー２０ｔはまた、シューズの両側で下側の革側部ピース１３４ｔの「Ｍ」字形中央部分の上に重ねて配置された１対の成形「Ｍ」字形サドル部材１３６ｔを有する。成形部品１３６ｔは、ＴＰＵまたは他の同様の材料から成形されることができ、従来通りにアッパー２０ｔに縫い付けられるか、または他の方法で固定される。各成形部品１３６ｔは、「Ｍ」の各頂部の先端に靴紐フック８２ｔを有して、それにより、靴紐８４ｔを受容することができる。アッパー２０ｔは、成形バックステイ１２２ｔおよび成形つま先ガード２３ｔも有する。革トレイルランニングシューズは好ましくは、非穿孔フットベッド７０ｔを有する。靴紐機構８０ｔ、ミッドソール３０ｔおよびアウトソール６０ｔは、図１８の通風トレイルランニングシューズ１０ｒのものと実質的に同じである。
【００３８】
図２１の防水デイハイキングブーツ１０ｕは実質的に、図１９ａの革トレイルランニングシューズの防水中間高さ型である。アッパー２０ｕは、延長した中間高さカラー２１ｕを有する点を除いて主に革トレイルランニングシューズ１０ｔと同じように形成されている。アッパー２０ｕは、革トレイルランニングシューズのアッパー２０ｔとほぼ同じカットおよび設計である革ピースから形成されるが、これらの革ピースが延長して、より高い足首カラー２１ｕを提供するようになっている点が異なる。しかし、革トレイルランニングシューズ１０ｔと異なって、防水デイハイキングブーツ１０ｕのアッパー２０ｕは、防水膜で裏打ちされている。靴紐機構８０ｃは、ベロ開口２８ｕの両側に沿ってアッパー２０ｕにリベット留めされた複数の靴紐リング８８ｕと、足首カラー２１ｕの上部付近でアッパー２０ｕに二列リベット留めされた１対の靴紐フック８２ｕとを有する。アッパー２０ｕは、成形バックステイ１２２ｕおよび成形つま先ガード２３ｕも有する。フットベッド７０ｕおよびミッドソール３０ｕは、革トレイルランニングシューズ１０ｔのフットベッド７０ｔおよびミッドソール３０ｔと実質的に同じであるが、所望ならば、強化支持力を与えるために、部品のクッション性を変えてもよい。防水デイハイキングブーツ１０ｕのアウトソール６０ｕは、通風デイハイキングブーツ１０ｓのものと同じである。
【００３９】
本発明の一実施形態に従って設計されたウォータフレンドリな製品ラインが、図２２〜図２５に示されている。この製品ラインは、ウォータソック（図２２ａを参照）、ウォータモック（moc）（図２３ａを参照）、マルチスポーツウォータシューズ（図２４を参照）および高性能ウォータシューズ（図２５ａを参照）を含む。この製品ラインは、湿潤環境での使用を目的としており、水が靴の内外へ流れることができるように設計されている。図２２ａのウォータソック１０ｖは全体として、アッパー２０ｖ、フットベッド７０ｖおよびアウトソール６０ｖを有し、従来型ストロベル構造を使用して形成される。アッパー２０ｖは、合成材料、メッシュおよびネオプレーンの組み合わせから形成される。（つま先ガードを含めた）アッパーの大部分は、合成材料１１４ｖから形成され、複数のメッシュパネル１１０ｖがアッパー２０ｖのベースに沿って配置され、ネオプレーンが足首カラー２１ｖの周りを通って足前部の上部に沿って下方向に延在している。アッパー２０ｖはさらに、踵の後部にウェブプルループ１２４ｖを有する。アッパー２０ｖの底部は、従来型ストロベル構造によって閉じられている。快適性を高めるために、フットベッド７０ｖがアッパー２０ｖ内にはめ込まれている。フットベッド７０ｖは好ましくは、穿孔フットベッドであって、独立気泡フォーム等のクッション材料７２ｖの上面に取り付けられたライニング材料７４ｖを有する。クッション材料７２ｖの下面は格子状の形状を有することができ、クッション材料はその格子の線の間の空間に穿孔を有してもよい。アウトソール６０ｖは、アッパー２０ｖの下面に接着されるか、または他の方法で固定される。アウトソール６０ｖは、半径方向に延びた周辺ラグのパターン内に収められた複数の波形トレッドを有する（図２２ｂを参照）。アウトソール６０ｖは、足前部内の大きさの異なる３つの円形ラグと、踵領域内の大きさの異なる２つの円形ラグとをさらに有する。
【００４０】
図２３ａのウォータモック１０ｗは、ウォータソック１０ｖより高い性能レベル用に設計されている。ウォータモック１０ｗは全体として、アッパー２０ｗ、フットベッド７０ｗ、ミッドソール３０ｗおよびアウトソール６０ｗを有する。アッパー２０ｗは、合成材料、メッシュおよびネオプレーンの組み合わせから形成される。ウォータソック１０ｖの場合と同様に、アッパー２０ｗの大部分は、合成材料１１４ｗから形成され、メッシュパネル１１０ｗがアッパー２０ｖの底部に沿って配置され、ネオプレーンが足首カラー２１ｗの周りを通ってベロ領域内に延在している。複数のウェブセクション１５６ｗが、アッパー２０ｗの側部に沿ってアウトソール６０ｗから上方向に延出している。最後尾のウェブセクション１５６ｗは、シューズ全体を横切り、一方側でアウトソールからベロを越えて進み、反対側で下方向にアウトソールに戻るように見える。しかし、そうではない。代わりに、ウェブ１５６ｗとほぼ同じ視覚外観を有する短い弾性材料セグメント１５８ｗが、目に見えるネオプレーン部分上に縫い付けられている。これらの弾性セグメントは伸縮して、シューズを着脱しやすくする。残りのウェブセクション１５６ｗは、実際にシューズの上方全体に延在している。アッパー２０ｗはさらに、踵の後部にウェブプルループ１２４ｗを有する。ウォータモック１０ｗは、ウォータソック１０ｖのフットベッド７０ｖと実質的に同じであるフットベッド７０ｗを有する。しかし、ウォータモック１０ｗのフットベッド７０ｗ用に、ウォータソックのフットベッド７０ｖ用に選択したものより厚く、かつ／または硬いクッション材料を選択してもよい。ウォータモック１０ｗは内部ミッドソール３０ｗを有する。したがって、アッパー２０ｗの周縁ゆとり分が、ミッドソール３０ｗの下面の下側に巻き付けられて、それに接着されるか、または他の方法で固定される。ミッドソール３０ｗは、ＥＶＡまたは他の同様のクッション材料から形成される。本実施形態において、ミッドソール３０ｗの上面に踏まず芯凹部５６ｗおよび踵クッション凹部４２ｗが形成されている。踏まず芯５４ｗが、踏まず芯凹部５６内にはめ込まれる。踏まず芯の性質は、用例ごとに変えてもよい。踵クッション４０ｗが、踵クッション凹部４２ｗ内にはめ込まれる。踏まず芯５６ｗおよび踵クッション４０ｗは、ミッドソール３０ｗに接着されるか、または他の方法で固定されてもよい。アウトソール６０ｗは、アッパー／ミッドソールの下面に接着されるか、または他の方法で固定される。アウトソール６０ｗは、ウォータソック１０ｖと実質的に同じトレッドパターンを有する（図２３ｂ）。ウォータモック１０ｗは内部ミッドソール３０ｗを有するので、アウトソール６０ｗは、ウォータソック１０ｖのアウトソール６０ｖよりアッパー２０ｗのより高い位置まで包み込む。
【００４１】
図２４のマルチスポーツウォータシューズ１０ｘは、ウォータモック１０ｗより激しい活動での使用を目的とする。ウォータモック１０ｗと同様に、マルチスポーツウォータシューズ１０ｘは全体として、アッパー２０ｘ、フットベッド７０ｘ、ミッドソール３０ｘおよびアウトソール６０ｘを有する。ウォータモック１０ｗと異なって、マルチスポーツウォータシューズ１０ｘのアッパー２０ｘは、従来型ベロ１２０ｘおよび靴紐機構８０ｘを有する。アッパー２０ｘは、合成材料およびメッシュの組み合わせから形成される。アッパーの大部分はメッシュ１１０ｘであり、合成材料が、はと目ステイ１１６ｘ、つま先ガード２３ｘ、およびアッパー２０ｘの側部に沿って延在して対応するウェブセクション１６０ｘを誘導する複数のピース１３８ｘを形成している。ウェブセクション１６０ｘは、アウトソール６０ｘから上方向に延出し、それにより、靴紐８４ｘを受容する靴紐ループ８６ｘを形成する。ウェブセクション１６０ｘは、合成材料の上側および下側を縫うように進むことができる。アッパー２０ｘは、アッパー２０ｘの両側に沿って延在する１対のアーム３６ｘ、および一体状のバックステイ１２２ｘを有する足首／踵支持部２６ｘも有する。足首／踵支持部２６ｘは好ましくは、ＴＰＵまたは他の同様の材料から成形されて、アッパー２０ｘに縫い付けられるか、接着されるか、または他の方法で取り付けられる。ＴＰＵ組成は、用例ごとに変えることができるが、良好な足首支持を行うのに十分な硬さであるが、ひび割れを生じることなく支持部２６ｘをアッパー２０ｘに縫い付けることができるほどの柔軟性を有する。最後尾のウェブセクション１５６ｘは、足首／踵支持部２６ｘに通されて、シューズの踵の周り全体に延在し、それにより、その両端部がシューズ１０ｘの両側に靴紐ループ８６ｘを形成している。その結果、靴紐８４ｘを締め付けたとき、足首／踵支持部のアーム３６ｘおよびバックステイ１２２ｘが着用者の足の周囲にぴったり引き寄せられる。マルチスポーツウォータシューズ１０ｘは、ウォータモックのフットベッド７０ｗと実質的に同じである穿孔フットベッド７０ｘを有する。しかし、マルチスポーツウォータシューズ１０ｘのフットベッド７０ｘ用に、ウォータモックのフットベッド７０ｗ用に選択したものより厚く、かつ／または硬いクッション材料を選択してもよい。マルチスポーツウォータシューズ１０ｘは、ウォータモック１０ｗの内部ミッドソール３０ｗに似た内部ミッドソール３０ｘを有する。ミッドソール３０ｘは、ＥＶＡまたは他の同様のクッション材料から形成され、また、単一材料から形成されてもよいし、異なる領域内に異なる性質の材料を有してもよい。ミッドソール３０ｘは、踏まず芯５４ｘおよび踵クッション４０ｘを有し、所望の支持レベルを得るために、それらの特性を変えてもよい。マルチスポーツウォータシューズ１０ｘのアウトソール６０ｘは、ウォータモック１０ｗのアウトソール６０ｗと同じであって、従来通りにアッパー／ミッドソールに接着されるか、または他の方法で固定される。
【００４２】
図２５ａの高性能ウォータシューズ１０ｙは、要求レベルが高いスポーツ活動での使用を目的としており、マルチスポーツウォータシューズ１０ｘよりさらに高レベルの性能を提供することを目的とする。高性能ウォータシューズ１０ｙは全体として、アッパー２０ｙ、フットベッド７０ｙ、ミッドソール３０ｙおよびアウトソール６０ｙを有する。ウォータソック１０ｖの場合と同様に、高性能ウォータシューズ１０ｙは、標準ストロベル構造を有する。高性能ウォータシューズ１０ｙは、ベロ１２０ｙと、さらに詳細に後述するようにアッパー２０ｙの周りをジグザグに進む長さ調節式ウェブ１６０ｙを組み込んだ靴紐機構８０ｙとを有する。アッパー２０ｙは、合成材料およびメッシュの組み合わせから形成される。アッパーの大部分はメッシュ１１０ｙであり、はと目ステイ１１６ｙを形成するとともに靴紐機構８０ｙのウェブ１６０ｙをシューズ１０ｙの周りに誘導するためにクォータの側部に沿って延在する重ねピース１１４ｙが合成材料によって形成されている。合成材料は、つま先２３ｙおよびベロ１１８ｙのセクションの上にも延在している。アッパー２０ｙはさらに、ミッドソール３０ｙから上方向に延出してアッパー２０ｙの高さの途中にある靴紐リング８８ｙで終端する複数のウェブセクション１５６ｙを有する。これらの靴紐リング８８ｙは、靴紐機構８０ｙのウェブ１６０ｙが通ることができる靴紐部品として機能する。アッパー２０ｙは、成形つま先ガード２３ｙと、ミッドソールから上方向に延出した成形バックステイ１２２ｙとを有する。バックステイ１２２ｙは、靴紐機構８０ｙのウェブ１６０ｙがシューズの踵の周りを通過できるようにするトンネル１６２ｙを有している。プルループ１２４ｙがバックステイ１２２ｙに固定されて、それから上方向に延出している。バックステイ１２２ｙは好ましくは、ＴＰＵまたは他の同様の材料から成形されて、アッパー２０ｙに縫い付けられるか、接着されるか、または他の方法で取り付けられる。靴紐機構８０ｙのウェブ１６０ｙは、シューズの一方側のつま先で始まって、シューズの側部に沿ってジグザグに進み、靴紐８４ｙから下向きに靴紐リング８８ｙへ、次に上向きに靴紐８４ｙに戻ることを、最後尾の靴紐リング８８ｙに達するまで繰り返す。それに達した点で、ウェブ１６０ｙは、バックステイ１２２ｙ内のトンネル１６２ｙを通過してシューズ１０ｙの踵の周りに延在する。ウェブ１６０ｙは次に、シューズ１０ｙの反対側に沿ってジグザグ状に前方向に延びて、靴紐リング８８ｙから靴紐８４ｙへ、それから下向きに次の靴紐リング８８ｙに進むことを、つま先に達するまで繰り返す。高性能ウォータシューズ１０ｙは、より厚く、かつ／または硬いクッション材料を有することができる点を除いて、マルチスポーツウォータシューズ１０ｘの穿孔フットベッド７０ｘと実質的に同じである穿孔フットベッド７０ｙを有する。マルチスポーツウォータシューズ１０ｙは、ウォータソック１０ｖの外部ミッドソール３０ｖに似た外部ミッドソール３０ｙを有する。ミッドソール３０ｙは、ＥＶＡまたは他の同様のクッション材料から形成され、また、単一材料から形成されてもよいし、異なる領域内に異なる性質の材料を有してもよい。ミッドソール３０ｙは、踏まず芯５４ｙおよび踵クッション４０ｙを有し、所望の支持レベルを得るために、それらの特性を変えてもよい。高性能ウォータシューズ１０ｙのアウトソール６０ｙは、このライン内のその他の製品のアウトソールと実質的に同じトレッドパターンを有する（図２５ｂを参照）。しかし、周辺ラグがアウトソール６０ｙの残り部分から上方向に突出し、それにより、ミッドソール３０ｙの上に重なる複数のフィンガ１６４を形成している。アウトソール６０ｙは、従来通りにミッドソール３０ｙに接着される。
【００４３】
以上の説明は、本発明の一実施形態に従ったモーフィング的な機能および設計要素の１つの例示を提供している。しかし、それらは、１つの製品から次の製品に進化することができる性能および設計要素の形式またはスタイルに制限を加えることを意図していない。さらに、例示は、１つの製品と別の製品との間に存在し得る進化の程度または進化要素の数を制限することを意図していない。
【００４４】
上記の説明は、本発明の好適な実施形態の説明である。添付の特許請求の範囲に規定される本発明の精神およびより広い態様から逸脱しない限り、さまざまな変形および変更を行うことができ、特許請求の範囲は、均等論を含む特許法の原則に従って解釈されるものとする。単数形で表される、たとえば冠詞の「a」、「an」、「the」または「said」を用いた特許請求要素に対するいかなる言及も、その要素が単数であると限定するものと解釈されるべきではない。
【図面の簡単な説明】
【００４５】
【図１ａ】本発明の一実施形態に従って製造された第１製品ラインの側面図である。
【図１ｂ】第２製品ラインの側面図である。
【図１ｃ】第３製品ラインの側面図である。
【図１ｄ】第４製品ラインの側面図である。
【図２ａ】第１製品ライン内のスポーツサンダルの分解斜視図である。
【図２ｂ】スポーツサンダルのアウトソールの底面図である。
【図３ａ】第１製品ライン内のマルチスポーツシューズの分解斜視図である。
【図３ｂ】マルチスポーツシューズのアウトソールの底面図である。
【図４ａ】第１製品ライン内のデイハイキングシューズの分解斜視図である。
【図４ｂ】デイハイキングシューズのアウトソールの底面図である。
【図５ａ】第１製品ライン内のハイキングブーツの分解斜視図である。
【図５ｂ】ハイキングブーツのアウトソールの底面図である。
【図６ａ】第１製品ライン内のバックパッキングブーツの分解斜視図である。
【図６ｂ】バックパッキングブーツのアウトソールの底面図である。
【図７ａ】第１製品ライン内の登山靴の分解斜視図である。
【図７ｂ】登山靴のアウトソールの底面図である。
【図８ａ】第２製品ライン内の軽スポーツサンダルの分解斜視図である。
【図８ｂ】軽スポーツサンダルのアウトソールの底面図である。
【図９ａ】第２製品ライン内のマルチスポーツサンダルの分解斜視図である。
【図９ｂ】マルチスポーツサンダルのアウトソールの底面図である。
【図１０ａ】第２製品ライン内のシャンダルの分解斜視図である。
【図１０ｂ】シャンダルのアウトソールの底面図である。
【図１１ａ】第２製品ライン内の軽トレイルランニングシューズの分解斜視図である。
【図１１ｂ】軽トレイルランニングシューズのアウトソールの底面図である。
【図１２ａ】第２製品ライン内のトレイルランニングシューズの分解斜視図である。
【図１２ｂ】トレイルランニングシューズのアウトソールの底面図である。
【図１３ａ】第２製品ライン内の高性能トレイルランニングシューズの分解斜視図である。
【図１３ｂ】高性能トレイルランニングシューズのアウトソールの底面図である。
【図１４ａ】第３製品ライン内のソングスポーツサンダルの分解斜視図である。
【図１４ｂ】ソングサンダルのアウトソールの底面図である。
【図１５】第３製品ライン内のスライドサンダルの分解斜視図である。
【図１６ａ】第３製品ライン内のコンバーチブルサンダルの分解斜視図である。
【図１６ｂ】コンバーチブルサンダルのアウトソールの底面図である。
【図１７】第３製品ライン内のマルチスポーツサンダルの分解斜視図である。
【図１８ａ】第３製品ライン内の通風トレイルランニングシューズの分解斜視図である。
【図１８ｂ】通風トレイルランニングシューズのアウトソールの底面図である。
【図１９ａ】第３製品ライン内の通風デイハイキングシューズの分解斜視図である。
【図１９ｂ】通風デイハイキングシューズのアウトソールの底面図である。
【図２０】第３製品ライン内の革トレイルランニングシューズの分解斜視図である。
【図２１】第３製品ライン内の防水デイハイキングシューズの分解斜視図である。
【図２２ａ】第４製品ライン内のウォータソックの分解斜視図である。
【図２２ｂ】ウォータソックのアウトソールの底面図である。
【図２３ａ】第４製品ライン内のウォータモックの分解斜視図である。
【図２３ｂ】ウォータモックのアウトソールの底面図である。
【図２４】第４製品ライン内のマルチスポーツウォータシューズの分解斜視図である。
【図２５ａ】第４製品ライン内の高性能ウォータシューズの分解斜視図である。
【図２５ｂ】高性能ウォータシューズのアウトソールの底面図である。
【図１ａ】
2005342518.tif 000003
【図１ｂ】
2005342518.tif 000004
【図１ｃ】
2005342518.tif 000005
【図１ｄ】
2005342518.tif 000006
【図２ａ】
2005342518.tif 000007
【図２ｂ】
2005342518.tif 000008
【図３ａ】
2005342518.tif 000009
【図３ｂ】
2005342518.tif 000010
【図４ａ】
2005342518.tif 000011
【図４ｂ】
2005342518.tif 000012
【図５ａ】
2005342518.tif 000013
【図５ｂ】
2005342518.tif 000014
【図６ａ】
2005342518.tif 000015
【図６ｂ】
2005342518.tif 000016
【図７ａ】
2005342518.tif 000017
【図７ｂ】
2005342518.tif 000018
【図８ａ】
2005342518.tif 000019
【図８ｂ】
2005342518.tif 000020
【図９ａ】
2005342518.tif 000021
【図９ｂ】
2005342518.tif 000022
【図１０ａ】
2005342518.tif 000023
【図１０ｂ】
2005342518.tif 000024
【図１１ａ】
2005342518.tif 000025
【図１１ｂ】
2005342518.tif 000026
【図１２ａ】
2005342518.tif 000027
【図１２ｂ】
2005342518.tif 000028
【図１３ａ】
2005342518.tif 000029
【図１３ｂ】
2005342518.tif 000030
【図１４ａ】
2005342518.tif 000031
【図１４ｂ】
2005342518.tif 000032
【図１５】
2005342518.tif 000033
【図１６ａ】
2005342518.tif 000034
【図１６ｂ】
2005342518.tif 000035
【図１７】
2005342518.tif 000036
【図１８ａ】
2005342518.tif 000037
【図１８ｂ】
2005342518.tif 000038
【図１９ａ】
2005342518.tif 000039
【図１９ｂ】
2005342518.tif 000040
【図２０】
2005342518.tif 000041
【図２１】
2005342518.tif 000042
【図２２ａ】
2005342518.tif 000043
【図２２ｂ】
2005342518.tif 000044
【図２３ａ】
2005342518.tif 000045
【図２３ｂ】
2005342518.tif 000046
【図２４】
2005342518.tif 000047
【図２５ａ】
2005342518.tif 000048
【図２５ｂ】
2005342518.tif 000049
【外国語明細書】
2005342518.tif 000050
2005342518.tif 000051
2005342518.tif 000052
2005342518.tif 000053
2005342518.tif 000054
2005342518.tif 000055
2005342518.tif 000056
2005342518.tif 000057
2005342518.tif 000058
2005342518.tif 000059
2005342518.tif 000060
2005342518.tif 000061
2005342518.tif 000062
2005342518.tif 000063
2005342518.tif 000064
2005342518.tif 000065
2005342518.tif 000066
2005342518.tif 000067
2005342518.tif 000068
2005342518.tif 000069
2005342518.tif 000070
2005342518.tif 000071
2005342518.tif 000072
2005342518.tif 000073
2005342518.tif 000074
2005342518.tif 000075
2005342518.tif 000076
2005342518.tif 000077
2005342518.tif 000078
2005342518.tif 000079
2005342518.tif 000080
2005342518.tif 000081
2005342518.tif 000082
2005342518.tif 000083
2005342518.tif 000084
2005342518.tif 000085
2005342518.tif 000086
2005342518.tif 000087
2005342518.tif 000088
2005342518.tif 000089
2005342518.tif 000090
2005342518.tif 000091
2005342518.tif 000092
2005342518.tif 000093
2005342518.tif 000094
2005342518.tif 000095
2005342518.tif 000096
2005342518.tif 000097
2005342518.tif 000098
2005342518.tif 000099
2005342518.tif 000100
2005342518.tif 000101
2005342518.tif 000102
2005342518.tif 000103
2005342518.tif 000104
2005342518.tif 000105
2005342518.tif 000106
2005342518.tif 000107
2005342518.tif 000108
2005342518.tif 000109
2005342518.tif 000110
2005342518.tif 000111
2005342518.tif 000112
2005342518.tif 000113
2005342518.tif 000114
2005342518.tif 000115
2005342518.tif 000116
2005342518.tif 000117
2005342518.tif 000118
2005342518.tif 000119
2005342518.tif 000120
2005342518.tif 000121
2005342518.tif 000122
2005342518.tif 000123
2005342518.tif 000124
2005342518.tif 000125
2005342518.tif 000126
2005342518.tif 000127
2005342518.tif 000128
2005342518.tif 000129
2005342518.tif 000130
2005342518.tif 000131
2005342518.tif 000132
2005342518.tif 000133
2005342518.tif 000134
2005342518.tif 000135
2005342518.tif 000136
2005342518.tif 000137
2005342518.tif 000138
2005342518.tif 000139
2005342518.tif 000140
2005342518.tif 000141
2005342518.tif 000142
2005342518.tif 000143
2005342518.tif 000144
2005342518.tif 000145
2005342518.tif 000146
2005342518.tif 000147
2005342518.tif 000148
2005342518.tif 000149
2005342518.tif 000150